(57)【要約】【課題】  電子ファイル形式のシナリオを企画構成段階から編集段階まで一貫して利用できるとともに，撮像した映像素材をシナリオに柔軟に関連付けることが可能な映像プログラム制作支援システム等を提供すること。【解決手段】  構成表メタデータのうちプログラムメタデータを作成する企画端末１０と；企画端末１０によって作成されたプログラムメタデータを取得し，構成表メタデータのうちテイクメタデータをテイク毎に作成し，プログラムメタデータ内のカットに対してテイクのコンテンツデータおよびテイクメタデータを関連付ける処理装置２０，３０と；を備えた映像プログラム制作支援システムが提供される。【選択図】  図１
2004187275.tif 000002
【特許請求の範囲】
【請求項１】
映像プログラムを制作する映像プログラム制作支援システムであって:
前記映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータと；１回の記録開始から終了に至るまでの連続した撮像処理であるテイクに関するメタデータからなり，前記テイク毎に単位ファイルで管理されるテイクメタデータと；を含む構成表メタデータにおける前記プログラムメタデータを作成する企画装置と：
前記企画装置によって作成された前記プログラムメタデータを取得し，前記テイクメタデータを前記テイク毎に作成し，前記プログラムメタデータ内の前記カットに対して前記テイクのコンテンツデータおよび前記テイクメタデータを関連付ける処理装置と：
を備えることを特徴とする，映像プログラム制作支援システム。
【請求項２】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を作成するプログラムメタデータ作成部；
を備えることを特徴とする，企画装置。
【請求項３】
前記プログラムメタデータの階層構造は，
少なくとも１つの前記カットから構成されるシーンに関するメタデータからなり，前記カット階層の上位階層であるシーン階層をさらに含むことを特徴とする，請求項２に記載の企画装置。
【請求項４】
前記プログラムメタデータの階層構造は，
少なくとも１つの前記シーンから構成される取材に関するメタデータからなり，前記シーン階層の上位階層である取材階層をさらに含むことを特徴とする，請求項３に記載の企画装置。
【請求項５】
前記プログラムメタデータは，前記映像プログラムの制作内容を指示するメタデータである制作指示情報を含むことを特徴とする，請求項２に記載の企画装置。
【請求項６】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を作成する処理をコンピュータに実行させることを特徴とする，プログラム。
【請求項７】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を作成するステップを含むことを特徴とする，映像プログラムの処理方法。
【請求項８】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を取得するプログラムメタデータ取得部と；
１回の記録開始から終了に至るまでの連続した撮像処理であるテイクに関するメタデータからなり，前記テイク毎に単位ファイルで管理されるテイクメタデータ，を前記テイク毎に作成するテイクメタデータ作成部と；
前記プログラムメタデータ内の前記カットに対して，前記テイクに関するコンテンツデータおよび前記テイクメタデータを関連付けるテイク関連付け部と；
を備えることを特徴とする，処理装置。
【請求項９】
前記プログラムメタデータの階層構造は，
少なくとも１つの前記カットから構成されるシーンに関するメタデータからなり，前記カット階層の上位階層であるシーン階層をさらに含むことを特徴とする，請求項８に記載の処理装置。
【請求項１０】
前記プログラムメタデータの階層構造は，
少なくとも１つの前記シーンから構成される取材に関するメタデータからなり，前記シーン階層の上位階層である取材階層をさらに含むことを特徴とする，請求項９に記載の処理装置。
【請求項１１】
前記プログラムメタデータは，前記映像プログラムの制作内容を指示するメタデータである制作指示情報を含むことを特徴とする，請求項８に記載の処理装置。
【請求項１２】
前記テイクメタデータは，前記テイクの撮像条件に関するメタデータであるテイク撮像条件情報を含むことを特徴とする，請求項８に記載の処理装置。
【請求項１３】
前記テイク関連付け部は，前記テイクの実行前にユーザによって選択された前記カットに対して，前記テイクの実行後に，前記テイクのコンテンツデータおよび前記テイクメタデータを関連付けることを特徴とする，請求項８に記載の処理装置。
【請求項１４】
前記テイク関連付け部は，前記テイクの実行後にユーザによって選択された前記カットに対して，前記テイクのコンテンツデータおよび前記テイクメタデータを関連付けることを特徴とする，請求項８に記載の処理装置。
【請求項１５】
前記テイク関連付け部は，１つの前記カットに対して複数の前記テイクに関するコンテンツデータおよび前記テイクメタデータを関連付けできることを特徴とする，請求項８に記載の処理装置。
【請求項１６】
前記テイク関連付け部は，複数の前記カットに対して，同一の前記テイクに関するコンテンツデータおよび前記テイクメタデータをそれぞれ関連付けできることを特徴とする，請求項８に記載の処理装置。
【請求項１７】
前記テイク関連付け部は，相異なる前記プログラムメタデータ内に属する複数の前記カットに対して，同一の前記テイクに関する前記コンテンツデータおよび前記テイクメタデータをそれぞれ関連付けできることを特徴とする，請求項８に記載の処理装置。
【請求項１８】
前記テイク関連付け部は，前記プログラムメタデータ内の前記カットに対して，前記テイクに関する前記コンテンツデータおよび前記テイクメタデータを関連付けるテイク関連付け情報を，前記プログラムメタデータとして生成することを特徴とする，請求項８に記載の処理装置。
【請求項１９】
前記テイク関連付け情報は，前記カットに関連付けられた前記テイクの前記コンテンツデータのファイル名および前記テイクメタデータのファイル名を含むことを特徴とする，請求項１８に記載の処理装置。
【請求項２０】
前記テイク関連付け情報は，前記カットに関連付けられた前記テイクのコンテンツデータを特定するグローバルユニークな識別子を含み，
前記識別子は，前記コンテンツデータに対応する前記テイクメタデータにも含まれていることを特徴とする，請求項１８に記載の処理装置。
【請求項２１】
前記テイク関連付け情報は，１つの前記カットに関連付けられた複数の前記テイクの中からいずれか１つの前記テイクを選択する情報を含むことを特徴とする，請求項１８に記載の処理装置。
【請求項２２】
前記カット階層以上の階層の撮像状況に関するメタデータであるプログラム撮像状況情報を，前記プログラムメタデータとして生成する撮像状況情報生成部，をさらに備えることを特徴とする，請求項８に記載の処理装置。
【請求項２３】
前記テイクの撮像状況に関するメタデータであるテイク撮像状況情報を，前記テイクメタデータとして生成する撮像状況情報生成部をさらに備えることを特徴とする，請求項８に記載の処理装置。
【請求項２４】
前記プログラムメタデータに応じた前記カットを撮像処理し，この撮像処理によって得られた前記コンテンツデータを前記テイク毎に記録する撮像装置，をさらに備えることを特徴とする，請求項８に記載の処理装置。
【請求項２５】
前記撮像装置は，前記プログラムメタデータを表示部に表示させるメタデータ表示制御部，を備えることを特徴とする，請求項２４に記載の処理装置。
【請求項２６】
前記メタデータ表示制御部は，前記プログラムメタデータの複数の項目の一部を選択的に表示させることができることを特徴とする，請求項２５に記載の処理装置。
【請求項２７】
前記撮像装置は，前記表示部に表示されたプログラムメタデータ内の前記カットの中から，前記テイクの前記コンテンツデータおよび前記テイクメタデータを関連付ける前記カットをユーザ入力に基づいて選択する撮像カット選択部，をさらに備えることを特徴とする，請求項２５に記載の処理装置。
【請求項２８】
前記プログラムメタデータ及び／又は前記テイクメタデータに基づいて，前記コンテンツデータを編集するコンテンツデータ編集部，をさらに備えることを特徴とする，請求項８に記載の処理装置。
【請求項２９】
前記プログラムメタデータ及び／又は前記テイクメタデータに基づいて，前記コンテンツデータを編集するコンテンツデータ編集部と；
前記コンテンツデータ編集部による前記コンテンツデータの編集結果に基づいて，前記テイク関連付け情報を編集するテイク関連付け情報編集部と；
をさらに備えることを特徴とする，請求項１８に記載の処理装置。
【請求項３０】
前記テイク関連付け情報編集部は，前記コンテンツデータ編集部による編集で抽出されたコンテンツデータの範囲を表す情報を，前記テイク関連付け情報に追加することを特徴とする，請求項２９に記載の処理装置。
【請求項３１】
前記プログラムメタデータ及び／又は前記テイクメタデータに基づいて，前記テイクの前記コンテンツデータを表示部に表示させる表示制御部，をさらに備えることを特徴とする，請求項２８に記載の処理装置。
【請求項３２】
前記表示制御部は，複数の前記カットにそれぞれ関連付けられた前記テイクの前記コンテンツデータの少なくとも一部を，前記プログラムメタデータに応じたカット順に，前記表示部に連続表示させることを特徴とする，請求項３１に記載の処理装置。
【請求項３３】
前記表示制御部は，前記プログラムメタデータ及び／又は前記テイクメタデータの少なくとも一部を，前記テイクのコンテンツデータとともに前記表示部に表示させることを特徴とする，請求項３１に記載の処理装置。
【請求項３４】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を取得する処理と；
１回の記録開始から終了に至るまでの連続した撮像処理であるテイクに関するメタデータからなり，前記テイク毎に単位ファイルで管理されるテイクメタデータ，を前記テイク毎に作成する処理と；
前記プログラムメタデータ内の前記カットに対して，前記テイクに関するコンテンツデータおよび前記テイクメタデータを関連付ける処理と；
をコンピュータに実行させることを特徴とする，プログラム。
【請求項３５】
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータ，を取得するステップと；
１回の記録開始から終了に至るまでの連続した撮像処理であるテイクに関するメタデータからなり，前記テイク毎に単位ファイルで管理されるテイクメタデータ，を前記テイク毎に作成するステップと；
前記取得したプログラムメタデータ内の前記カットに対して，前記テイクに関するコンテンツデータおよび前記作成されたテイクメタデータを関連付けるステップと；
を含むことを特徴とする，映像プログラムの処理方法。
【請求項３６】
映像プログラム制作支援システムにおいて用いられる構成表メタデータのデータ構造であって：
前記構成表メタデータは，
映像プログラムに関するメタデータからなり最上位階層であるプログラム識別階層と，企画時における前記映像プログラムを構成する最小単位であるカットに関するメタデータからなるカット階層とを少なくとも含む階層構造を有し，前記映像プログラム毎に単位ファイルで管理されるプログラムメタデータと；
１回の記録開始から終了に至るまでの連続した撮像処理であるテイクに関するメタデータからなり，前記テイク毎に単位ファイルで管理され，前記プログラムメタデータのカット階層に関連付けられるテイクメタデータと；
を含むことを特徴とする，データ構造。
【請求項３７】
前記プログラムメタデータの階層構造は，さらに，少なくとも１つの前記カットから構成されるシーンに関するメタデータからなり前記カット階層の上位階層であるシーン階層を含むことを特徴とする，請求項３６に記載のデータ構造。
【請求項３８】
前記プログラムメタデータの階層構造は，さらに，少なくとも１つの前記シーンから構成される取材に関するメタデータからなり前記シーン階層の上位階層である取材階層を含むことを特徴とする，請求項３７に記載のデータ構造。
【請求項３９】
前記プログラムメタデータは，前記映像プログラムの制作内容を指示するメタデータである制作指示情報を含むことを特徴とする，請求項３６に記載のデータ構造。
【請求項４０】
前記プログラムメタデータは，前記カット階層以上の階層の撮像状況に関するメタデータであるプログラム撮像状況情報を含むことを特徴とする，請求項３６に記載のデータ構造。
【請求項４１】
前記プログラムメタデータは，少なくとも，前記カットに対して前記テイクに関するコンテンツデータおよび前記テイクメタデータを関連付けるテイク関連付け情報を含むことを特徴とする，請求項３６に記載のデータ構造。
【請求項４２】
前記テイク関連付け情報は，前記カットに関連付けられた前記テイクの前記コンテンツデータのファイル名および前記テイクメタデータのファイル名を含むことを特徴とする，請求項４１に記載のデータ構造。
【請求項４３】
前記テイク関連付け情報は，前記カットに関連付けられた前記テイクのコンテンツデータを特定するグローバルユニークな識別子を含み，
前記識別子は，対応するテイクの前記テイクメタデータにも含まれていることを特徴とする，請求項４１に記載のデータ構造。
【請求項４４】
前記テイク関連付け情報は，前記カットに関連付けられた複数の前記テイクの中からいずれか１つの前記テイクを選択する情報を含むことを特徴とする，請求項４１に記載のデータ構造。
【請求項４５】
前記テイク関連付け情報は，前記カットに関連付けられた前記テイクのコンテンツデータのうちの編集により抽出された範囲を表す情報を含むことを特徴とする，請求項４１に記載のデータ構造。
【請求項４６】
前記テイク関連付け情報は，複数の前記カットに対して，同一の前記テイクの前記コンテンツデータおよび前記テイクメタデータを関連付けることを特徴とする，請求項４１に記載のデータ構造。
【請求項４７】
前記テイク関連付け情報は，相異なる前記プログラムメタデータ内に属する複数の前記カットに対して，同一の前記テイクの前記コンテンツデータおよび前記テイクメタデータを関連付けることを特徴とする，請求項４１に記載のデータ構造。
【請求項４８】
前記テイクメタデータは，前記テイクの撮像条件に関するメタデータであるテイク撮像条件情報を含むことを特徴とする，請求項３６に記載のデータ構造。
【請求項４９】
前記テイクメタデータは，前記テイクの撮像状況に関するメタデータであるテイク撮像状況情報を含むことを特徴とする，請求項３６に記載のデータ構造。
【発明の詳細な説明】
【技術分野】
【０００１】
本発明は，映像プログラム制作支援システム，企画装置，処理装置，映像プログラムの処理方法，プログラムおよびデータ構造に関する。
【背景技術】
【０００２】
放送局や番組制作会社などがＴＶ番組やビデオコンテンツなどの映像作品（以下では，映像プログラムという。）を制作する場合には，例えば次のような制作フローが一般的である。即ち，まず，企画構成部署が，映像プログラムを企画してシナリオ（筋書）を作成する。次いで，取材部署が，上記シナリオに基づいて取材現場で取材（撮像）を行い，撮像した映像素材を含むコンテンツデータを記録する。さらに，編集部署が，上記シナリオや取材時の情報等に基づいてコンテンツデータを編集して，映像プログラムを完成させる。
【０００３】
上記のような制作フローにおいて，シナリオや，シナリオと映像素材を関連付ける情報，取材時に得た情報などの各種情報は，紙媒体などに記載されて管理され，各部署間で個別にやり取りされていた。なお，特許文献１には，粗編集された映像素材等をネットワーク上で複数人と共有する手法が開示されている。
【０００４】
【特許文献１】特開２００１−２９０７３１号公報
【発明の開示】
【発明が解決しようとする課題】
【０００５】
しかしながら，上記のように紙媒体を介して各種情報をやり取りする手法では，情報伝達の正確性や迅速性に欠けるとともに，全部署間で統一した情報管理ができなかった。このため，部署間での連携や的確な指示・要請が困難となるとともに，シナリオの修正・変更に容易に対応できないので，結果として制作効率が上がらなかった。
【０００６】
また，一部では，電子ファイル形式でシナリオを作成し，このシナリオに撮像済みの映像素材を割り当てていくという手法が試験的に行われ始めている。しかしながら，この手法であっても，電子ファイルを有効活用しているのは撮像後だけであり，撮像時には依然として紙媒体に依存していた。即ち，撮像段階では，電子ファイル形式のシナリオを利用しておらず，撮像した映像素材を撮像時に電子ファイル形式のシナリオに関連付けることができなかった。このため，電子ファイル形式のシナリオを企画構成段階から撮像および編集段階にいたるまで一貫して利用することができなかった。
【０００７】
本発明は，上記問題点に鑑みてなされたものであり，本発明の目的は，撮像した映像素材を電子ファイル形式のシナリオに関連付けて，この電子ファイル形式のシナリオを企画構成段階から編集段階に至るまで一貫して利用することが可能な，新規かつ改良された映像プログラム制作支援システム等を提供することにある。
【課題を解決するための手段】
【０００８】
上記課題を解決するため，本発明の第１の観点によれば，構成表メタデータを利用して映像プログラムを制作する映像プログラム制作支援システムが提供される。この映像プログラム制作支援システムにおいて，構成表メタデータは，プログラムメタデータとテイクメタデータとを含むように構成されている。プログラムメタデータは，映像プログラムに関するメタデータからなり最上位階層であるプログラム識別階層と，企画時における映像プログラムを構成する最小単位であるカットに関するメタデータからなるカット階層とを少なくとも含む階層構造を有し，映像プログラム毎に単位ファイルで管理される。このプログラムメタデータは，映像プログラムの電子ファイル形式のシナリオとして機能する。また，テイクメタデータは，１回の記録開始から終了に至るまでの連続した撮像処理であるテイクに関するメタデータからなり，テイク毎に単位ファイルで管理される。なお，このようなプログラムメタデータおよびテイクメタデータの特徴は，以下のプログラムメタデータおよびテイクメタデータに関しても同様とする。さらに，かかる映像プログラム制作支援システムは，上記プログラムメタデータを作成する企画装置と；企画装置によって作成されたプログラムメタデータを取得し，上記テイクメタデータをテイク毎に作成し，プログラムメタデータ内のカットに対してテイクのコンテンツデータおよびテイクメタデータを関連付ける処理装置と；を備える。
【０００９】
かかる構成により，企画装置は，映像プログラムのシナリオを表すプログラムメタデータを作成し，処理装置は，このプログラムメタデータを企画装置から取得し，実際に撮像された映像素材であるコンテンツデータに関するテイクメタデータを作成し，このテイクメタデータをプログラムメタデータに関連付けることができる。これにより，電子ファイル形式のシナリオを企画装置と処理装置とで共用できる。このため，映像プログラムの制作に携わる各部署で利用されるシナリオのメタデータと，必ずしも全ての部署で必要ではない映像素材に関するメタデータとを分離して管理できるので，制作効率が向上する。
【００１０】
また，企画装置は，映像プログラムの制作内容を指示するメタデータである制作指示情報を，プログラムメタデータとして生成してもよい。この制作指示情報は，取材及び／又は編集内容を具体的に指示するための情報であり，映像プログラムのシナリオに応じて少なくともカット単位で作成されている。このようにシナリオに対応した制作指示情報をプログラムメタデータに含ませることにより，プログラムメタデータは，各部署間でやり取りされる電子ファイル形式のシナリオとして機能できる。
【００１１】
また，上記課題を解決するため，本発明の別の観点によれば，映像プログラムを制作する映像プログラム制作支援システムにおいて用いられる企画装置が提供される。この企画装置は，上記プログラムメタデータを作成するプログラムメタデータ作成部を備える。
【００１２】
また，上記課題を解決するため，本発明の別の観点によれば，上記プログラムメタデータを作成する処理をコンピュータに実行させる，コンピュータ制御可能なプログラムが提供される。
【００１３】
また，上記課題を解決するため，本発明の別の観点によれば，上記プログラムメタデータを作成するステップを含む，映像プログラムの処理方法が提供される。
【００１４】
また，上記課題を解決するため，本発明の別の観点によれば，映像プログラムを制作する映像プログラム制作支援システムにおいて用いられる処理装置が提供される。この処理装置は，上記プログラムメタデータを取得するプログラムメタデータ取得部と；上記テイクメタデータをテイク毎に作成するテイクメタデータ作成部と；プログラムメタデータ内のカットに対して，テイクに関するコンテンツデータおよびテイクメタデータを関連付けるテイク関連付け部と；を備える。
【００１５】
また，上記課題を解決するため，本発明の別の観点によれば，上記プログラムメタデータ，を取得する処理と；上記テイクメタデータをテイク毎に作成する処理と；プログラムメタデータ内のカットに対して，テイクに関するコンテンツデータおよびテイクメタデータを関連付ける処理と；をコンピュータに実行させる，コンピュータ制御可能なプログラムが提供される。
【００１６】
また，上記課題を解決するため，本発明の別の観点によれば，上記プログラムメタデータ，を取得するステップと；上記テイクメタデータをテイク毎に作成するステップと；プログラムメタデータ内のカットに対して，テイクに関するコンテンツデータおよびテイクメタデータを関連付けるステップと；を含む，映像プログラムの処理方法が提供される。
【００１７】
また，上記課題を解決するため，本発明の別の観点によれば，映像プログラム制作支援システムにおいて用いられる構成表メタデータのデータ構造が提供される。この構成表メタデータは，上記プログラムメタデータと；上記テイクメタデータと；を含む。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（第１の実施の形態）
以下に，本発明にかかる第１の実施形態について説明する。
【００２０】
＜１．映像プログラム制作支援システム＞
まず，本発明の第１の実施形態にかかる映像プログラム制作支援システムについて説明する。映像プログラム制作支援システムは，例えば，テレビ放送局や，ビデオコンテンツ，映画等の制作会社などに設けられ，ＴＶ番組，ビデオコンテンツ，映画などの映像作品である映像プログラムを制作するためのシステムである。本実施形態にかかる映像プログラム制作支援システムの特徴は，映像プログラムの制作を分担する複数の部署間で，電子ファイル形式の構成表メタデータ（詳細については後述する。）を一貫して利用できるようにすることにより，映像プログラムを効率的に作成できる点にある。
【００２１】
ここで，図１に基づいて，本実施形態にかかる映像プログラム制作支援システムの構成について説明する。なお，図１は，本実施形態にかかる映像プログラム制作支援システムの概略的な構成を示すブロック図である。
【００２２】
図１に示すように，本実施形態にかかる映像プログラム制作支援システム１は，例えば，ネットワーク５と，企画端末１０と，撮像装置４０およびフィールドＰＣ／ＰＤＡ（以下，フィールドＰＣという。）５０などからなる取材端末２０と，編集端末３０と，から主に構成される。
【００２３】
ネットワーク５は，例えば，企画端末１０，撮像装置４０，フィールドＰＣ５０および編集端末３０を相互に双方向通信可能に接続する電気通信回線網である。このネットワーク５は，本実施形態では，例えば，ＲＳ−４２２又はＲＳ−２３２Ｃなどの有線通信回線と，ＩＥＥＥ８０２．１１ａ規格などを始めとした無線通信回線などから構成される。しかし，ネットワーク５は，かかる例に限定されず，この他にも，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網，衛星通信網，イーサネット，ＬＡＮ，インターネットなどの各種の専用または公衆回線網を利用して構成されてもよい。
【００２４】
かかるネットワーク５は，例えば，企画端末１０が作成した構成表メタデータを，撮像装置４０およびフィールドＰＣ５０（即ち，取材端末２０）などに伝送することができる。また，ネットワーク５は，例えば，撮像装置４０が記録したコンテンツデータや，撮像装置４０およびフィールドＰＣ５０が編集した構成表メタデータなどを，編集端末３０に伝送することができる。
【００２５】
また，企画端末１０，取材端末２０，編集端末３０は，例えば，映像プログラムの制作を分担する複数の部署のうち，それぞれ，企画構成部署，取材部署，編集部署などによって利用される端末装置である。なお，企画端末１０は，本実施形態にかかる企画装置として構成され，また，取材端末２０および編集端末３０は，本実施形態にかかる処理装置として構成されている。
【００２６】
企画端末１０は，例えば，パーソナルコンピュータなどの情報処理装置及びその周辺装置などで構成されており，企画構成部署に設けられる。この企画構成部署とは，映像プログラムの制作全体を統括する部署であって，制作する映像プログラムの企画・構想を行ってシナリオ（筋書）を作成するとともに，取材部署および編集部署等の他部署に制作作業内容を指示する部署である。  
【００２７】
上記企画端末１０は，例えば，電子ファイル形式の構成表メタデータを映像プログラムごとに作成する（即ち，後述するプログラムメタデータを作成する）機能を有する。また，企画端末１０は，例えば，企画構成部署担当者の入力に基づいて制作指示情報を生成し，この制作指示情報を上記作成した構成表メタデータ内の該当欄に書き込むことができる。この制作指示情報は，例えば，他部署に対して映像プログラムの制作内容を指示するための情報であり，上記企画された映像プログラムのシナリオに対応して作成される。さらに，企画端末１０は，例えば，この制作指示情報を含む構成表メタデータを，ネットワーク５を介して取材端末２０等に送信することができる。このように，企画端末１０が上記制作指示情報を含む構成表メタデータを取材端末２０などに提供することにより，企画構成部署は，取材部署などに対して取材・撮像すべき場面や内容を指示することができる。
【００２８】
また，取材端末１０は，取材部署によって利用される端末装置群であり，例えば，撮像装置４０とフィールドＰＣ５０から構成される。この取材部署とは，例えば，上記企画構成部署による制作指示に従って，制作現場で実際に取材を行う部署であって，映像プログラムを構成する各場面の映像を撮像するとともに，撮像状況を取材する部署である。
【００２９】
撮像装置４０は，例えば，放送用のニュース番組の取材や，スポーツなどの試合の模様，映画などの映像コンテンツの撮像に使用される装置である。
【００３０】
この撮像装置４０は，例えば，上記企画端末１０からネットワーク５を介して上記構成表メタデータを取得する。かかる撮像装置４０は，例えば，取得した構成表メタデータに含まれる制作指示情報を表示部に表示することにより，カメラマン等の撮像スタッフに対して，映像プログラムのシナリオと撮像すべき内容を認識させることができる。
【００３１】
さらに，撮像装置４０は，この構成表メタデータの制作指示情報に基づいて，映像プログラムを構成する各場面を撮像することができる。この撮像処理は，例えば，テイクを複数回繰り返すことによって，進行していく。例えば，撮像装置４０は，ある場面について１または２回以上のテイクを行い，次いで，異なる場面についてさらに１または２回以上のテイクを行う。なお，このテイクとは，撮像装置４０による１回の記録開始から終了に至るまでの連続した撮像処理をいう。
【００３２】
さらに，撮像装置４０は，撮像処理によって得られたコンテンツデータを，光ディスク３等の記録媒体に記録することができる。なお，コンテンツデータは，映像データおよび音声データの少なくともいずれか一方若しくは双方である。具体的には，このコンテンツデータは，例えば，ＴＶ番組，映画などの動画像データ，写真や絵画などの静止画像データ，ラジオ番組などの音声データ，或いはこれらの組合せなどから構成されるデータである。さらに，撮像装置４０は，かかるコンテンツデータを上記テイクごとに記録することができる。即ち，撮像装置４０が，例えば，テイクを２回実行すれば，２つのコンテンツデータのファイルが記録されることになる。
【００３３】
また，このコンテンツデータが記録される光ディスク３は，例えば，ＤＶＤ−Ｒ，ＤＶＤ−ＲＡＭ，ＣＤ−Ｒ等の規格の光ディスクや，ＭＯ型やライトワンス型や相変化型等の各種の光ディスクで構成される。また，撮像装置４０がコンテンツデータを記録する記録媒体としては，上記光ディスク３の例に限定されず，例えば，フレキシブルディスク等の磁気ディスク，デジタルＶＴＲフォーマットの磁気テープ，各種のＲＡＭなどであってもよい。
【００３４】
また，撮像装置４０は，例えば，オリジナル映像だけでなく，ローレゾリューション（ｌｏｗ  ｒｅｓｏｌｕｔｉｏｎ：低解像度）映像を光ディスク３に記録することができる。ここでいうオリジナル映像とは，撮像装置４０が撮像した生のコンテンツデータである。このオリジナル映像は，大容量であるが高画質であるので，映像プログラムの完成品に用いられる。一方，ローレゾリューション映像（以下ローレゾ映像という。）は，上記オリジナル映像を圧縮したコンテンツデータである。このローレゾ映像は，比較的低画質だが小容量であるので，送信が迅速かつ容易であるという利点を有し，主に粗編集段階で用いられる。
【００３５】
上記のようにして，撮像装置４０によってコンテンツデータが記録された光ディスク３は，後述する編集部署に搬送されて，コンテンツデータの編集に利用される。しかし，かかる搬送にはある程度の時間を要する。このため，本実施形態では，例えば，以下のように，撮像装置４０がコンテンツデータをネットワーク５を介して迅速に提供できるように構成されている。
【００３６】
即ち，撮像装置４０は，例えば，上記ローレゾ映像を，ネットワーク５を介して編集端末３０，企画端末１０，フィールドＰＣ５０などに送信することができる。かかるローレゾ映像の送信は，撮像装置４０による撮像と略同時並行して行ってもよいし，或いは撮像後に一括して行ってもよい。これにより，編集部署は，搬送された光ディスク３が到着していなくとも，比較的早い段階で（例えば，撮像作業とほぼ同時並行して），編集作業を行うことができるので，映像プログラムの制作効率を高めることができる。なお，上記のように，ローレゾ映像がネットワーク５を介して伝送される場合，撮像装置４０は，例えば，オリジナル映像のみを光ディスク３に記録するようにしてもよい。
【００３７】
一方，フィールドＰＣ５０は，例えば，ノート型のパーソナルコンピュータまたはＰＤＡ（ｐｅｒｓｏｎａｌ  ｄｉｇｉｔａｌ  ａｓｓｉｓｔａｎｔ）などの携帯可能なコンピュータ及びその周辺装置などで構成される。このフィールドＰＣは，上記撮像装置４０と各種の有線または無線回線などで接続されており，例えば，構成表メタデータや記録したコンテンツデータを共有することができる。
【００３８】
このフィールドＰＣ５０は，例えば，上記企画端末１０からネットワーク５を介して上記構成表メタデータを取得することができる。また，フィールドＰＣ５０は，例えば，構成表メタデータを撮像装置４０から取得することもできる。かかるフィールドＰＣ５０は，例えば，取得した構成表メタデータを所定の表示部に表示して，取材部署担当者に取材・撮像すべき内容を認識させることができる。
【００３９】
さらに，フィールドＰＣ５０は，例えば，取材部署担当者の入力に基づいて，取材・撮像状況に関する情報である撮像状況情報を生成し，この撮像状況情報を上記構成表メタデータ内の該当欄に追加することができる。この撮像状況情報は，例えば，テイクごとや取材場所ごとに多様な観点で記載されたテキストデータなどであり，後段の編集時に有用となる情報である。このように，フィールドＰＣ５０は，撮像状況情報を書き込むことにより，構成表メタデータを編集することができる。
【００４０】
上記のような撮像装置４０及びフィールドＰＣ５０から構成された取材端末２０は，さらに，例えば，上記テイクの撮像時における撮像状況に関するメタデータであるテイクメタデータを構成表メタデータの一部として作成することができる。このテイクメタデータについては後に詳説する。
【００４１】
加えて，かかる取材端末２０は，例えば，シナリオに対して，コンテンツデータおよびテイクメタデータをテイク単位で関連付けるための情報であるテイク関連付け情報（詳細は後述する。）を生成し，このテイク関連付け情報を構成表メタデータに追加することができる。これにより，取材端末２０は，例えば，構成表メタデータを用いて，実際の撮像結果である映像素材（即ち，コンテンツデータ）等を，企画部署の企画・構想であるシナリオに対して割り当てることができる。
【００４２】
以上のようにして，取材端末２０は，例えば，取材・撮像状況に応じて各種情報を書き込むことなどにより，構成表メタデータ編集することもできる。
【００４３】
編集端末３０は，例えば，パーソナルコンピュータなどの情報処理装置及びその周辺装置などで構成されており，編集部署に設けられる。この編集部署とは，例えば，上記企画構成部署による制作指示や，上記取材部署による取材状況を反映した構成表メタデータに基づいて，上記撮像装置４０が記録したコンテンツデータを編集して，映像プログラムを完成させる部署である。
【００４４】
この編集端末３０は，例えば，上記取材端末２０から，ネットワーク５を介して構成表メタデータおよびローレゾ映像を取得し，光ディスク３を介してオリジナル映像を取得する。また，編集端末３０は，例えば，上記企画端末１０から制作指示情報をネットワーク５を介して直接受信することもできる。
【００４５】
また，編集端末３０は，上記構成表メタデータに基づいて，コンテンツデータを好適に再生して表示できる。例えば，編集端末３０は，ネットワークを介して受信したローレゾ映像や，光ディスク３に記録されたオリジナル映像を，シナリオに従った順序で連続表示したり，所望のテイクのコンテンツデータだけを表示したりできる。なお，オリジナル映像を再生する際には，例えば，光ディスク３を読み書きできる記録再生装置であるディスク装置などが利用される。
【００４６】
さらに，編集端末３０は，例えば，上記構成表メタデータに基づいて，必要なコンテンツデータを所望の順序で再生して表示できるとともに，かかるコンテンツデータの編集処理を支援することができる。この編集処理は，例えば，粗編集処理と本編集処理とからなる。
【００４７】
粗編集処理とは，次のような処理である。まず，上記テイクごとに記録された複数のコンテンツデータの中から，本編集で使用すべきコンテンツデータを収集する。さらに，収集されたコンテンツデータの中から，必要な映像部分を選択（Ｌｏｇｇｉｎｇ）する。次いで，選択された映像部分に対応した編集開始位置（Ｉｎ点）または編集終了位置（Ｏｕｔ点）を例えばタイムコード等によって設定して，コンテンツデータの中から必要部分を抽出（Ｉｎｇｅｓｔｉｎｇ）する。
【００４８】
また，本編集処理とは，例えば，粗編集されたコンテンツデータのオリジナルデータを抽出して，最終的な画質調整等を施し，番組などで放映するための完全パッケージデータを作成する処理である。
【００４９】
以上，映像プログラム制作支援システム１およびその構成要素の概略について説明したが，映像プログラム制作支援システム１は上記例に限定されるものではない。
【００５０】
例えば，上記企画端末１０，撮像装置４０，フィールドＰＣ５０および編集端末３０などの各装置は，必ずしも１台だけから構成されなくともよく，複数台から構成される場合であっても実施可能である。例えば，複数台の撮像装置４０が撮像したコンテンツデータを，光ディスク３またはネットワーク５を介して，１つの編集端末３０に提供することも可能である。
【００５１】
また，上記企画端末１０，撮像装置４０，フィールドＰＣ５０および編集端末３０は，必ずしもハードウェア的に別体に構成されなくともよい。例えば，企画端末１０と編集端末３０は，双方の機能を兼ね備えた同一のハードウェアとして一体構成されてもよい。また，取材端末２０と編集端末３０とを，双方の機能を兼ね備えた同一のハードウェアとして一体構成することにより，１つのハードウェアとして処理装置を構成してもよい。また，撮像装置４０とフィールドＰＣ５０も，例えば，撮像装置４０にキーボードなどの入力装置を設けるなどして，双方の機能を兼ね備えた同一のハードウェアとして一体構成されてもよい。また，取材端末２０は，必ずしも撮像装置４０を具備しなくてもよい。
【００５２】
また，映像プログラム制作支援システム１は，例えば，上記企画端末１０，取材端末２０および編集端末３０の間に，センターサーバ（図示せず。）を設けることで，企画端末１０，取材端末２０および編集端末３０をクライアントとした，クライアント／サーバ（Ｃｌｉｅｎｔ／Ｓｅｒｖｅｒ）のネットワークシステムとして構成することも可能である。
【００５３】
＜２．構成表メタデータ＞
次に，本実施形態にかかる構成表メタデータについて説明する。以下では，まず，本実施形態で使用される各種用語について定義し，次いで，構成表メタデータの具体例を挙げながら構成表メタデータの構成について詳細に説明することとする。
【００５４】
＜２．１  用語の定義＞
まず，本実施形態で使用される各種用語を定義する。
・「メタデータ」とは，あるデータに関する付随データであり，各種データの内容を表すためのインデックス（しおり）として機能するデータをいう。具体的には，このメタデータは，例えば，映像プログラムに関する制作指示情報，撮像状況情報およびテイク関連付け情報や，コンテンツデータに関する撮像条件情報および電子マークデータなどである。
・「構成表メタデータ」とは，映像プログラムの制作に必要な各種のメタデータが表形式で構造化された表データである。具体的には，この構成表メタデータは，例えば，１つの映像プログラムの内容をその構成要素に分割して，プログラム識別階層，取材階層，シーン階層，カット階層，テイク階層の順に階層構造化されている。この各階層には，例えば，それぞれの構成（数や順番），タイトル，説明，その他付随する情報等のメタデータが記述されている。なお，構成表メタデータは，例えば，映像プログラム毎に単位ファイルで管理されるプログラムメタデータと，テイク毎に単位ファイルで管理されるテイクメタデータからなる。
・「プログラムメタデータ」とは，上記「構成表メタデータ」のうち，カット階層以上の階層のメタデータを，１つの映像プログラムにつき１つのメタデータファイル（単位ファイル）にまとめて管理されるメタデータである。このプログラムメタデータは，例えば，プログラム識別階層，取材階層，シーン階層，カット階層がこの順で階層構造化されている。かかるプログラムメタデータには，例えば，シナリオに対応して作成された制作指示情報や，プログラム撮像状況情報，テイク関連付け情報等のメタデータが含まれる。かかるプログラムメタデータは，シナリオに対応した制作指示情報を含むことにより，各部署間で共通に使用される電子ファイル形式のシナリオとして機能することができる。
・「テイクメタデータ」とは，上記「構成表メタデータ」のうち，上記テイクに関するメタデータからなり，１つのテイクにつき１つのメタデータファイル（単位ファイル）で管理されるメタデータである。このため，テイクメタデータは，１つの映像プログラムについて（１つのプログラムメタデータＰＭに対して），複数のファイルが作成される場合がある。このテイクメタデータは，上記プログラムメタデータのカット階層に関連付けられ，かかるカット階層の下位階層に該当する。かかるテイクメタデータには，例えば，後述するテイク撮像状況情等報のメタデータが含まれる。
・「テイク」とは，上記のように，撮像装置による１回の記録開始から記録終了に至るまでの連続した撮像処理である。換言すると，このテイクは，映像プログラムの撮像段階における撮像処理の最小単位である。なお，映像作品の制作分野では，「テイク」は，「クリップ」，「ショット」または「カット」等と呼ばれる場合もあるが，本明細書において「カット」は以下に定義する意味内容を表すものであり「テイク」とは異なる。また，当該分野では，「テイク」は，撮像装置による１回の記録開始から記録終了に至るまでの連続した映像区間を意味する場合もあるが，本明細書において「テイク」は，上記のような連続した撮像処理を意味する。
・「テイク階層」とは，上記テイクメタデータにおいて，上記テイクに関するメタデータからなる階層である。
・「カット」とは，企画段階（即ち，シナリオ作成時）における映像プログラムを構成する最小単位である。このカットは，あくまで企画構成部署側からみたシナリオの一部（即ち，想定された撮像場面）であり，上記のような取材部署側からみた実際の撮像処理の最小単位であるテイクとは異なる。上記テイクのコンテンツデータから必要部分を抽出したものが，このカットに割り当てられる。
・「カット階層」とは，上記プログラムメタデータにおいて，上記カットに関するメタデータからなる階層である。
・「シーン」とは，企画段階（即ち，シナリオ作成時）における映像プログラムを構成する中規模単位であり，少なくとも１つの上記カットから構成される。即ち，このシーンは，少なくとも１つの上記カットをまとめた撮像場面であるともいえる。例えば，同一の取材現場内で撮像位置が異なれば，別のシーンとすることができる。
・「シーン階層」とは，上記プログラムメタデータにおいて，上記シーンに関するメタデータからなる階層である。
・「取材」とは，企画段階（即ち，シナリオ作成時）における映像プログラムを構成する最大単位であり，少なくとも１つの上記シーンから構成される。即ち，この取材は，少なくとも１つの上記シーンをまとめた撮像場面であるともいえる。例えば，取材現場が異なれば，別の取材とすることができる。映像プログラムは，例えば，少なくとも１つの取材から構成される。
・「取材階層」とは，上記プログラムメタデータにおいて，上記取材に関するメタデータからなる階層である。
・「プログラム識別階層」とは，上記プログラムメタデータにおいて，そのプログラムメタデータに対応する映像プログラムを識別するためのメタデータからなる階層である。
【００５５】
以上，本実施形態で使用される各種用語を定義した。
【００５６】
＜２．２  構成表メタデータの全体構成＞
次に，図２に基づいて，本実施形態にかかる構成表メタデータの全体的な構成について説明する。なお，図２は，本実施形態にかかる構成表メタデータの全体構成を例示する説明図である。なお，図２では，図面スペースの都合上，テイクメタデータの内容が，その一部のみしか表示されていない。
【００５７】
図２には，構成表メタデータの例として，「麺つゆの東西境界線を調べる」という内容の映像プログラムに関する構成表メタデータが示されている。このように，構成表メタデータは，例えば，映像プログラム毎に作成されるデータ表である。かかる構成表メタデータは，例えば，上記企画用端末措置１０によって電子ファイル形式で作成される。
【００５８】
図２に示すように，１つの映像プログラムに関する構成表メタデータは，例えば，１つのプログラムメタデータＰＭと，複数のテイクメタデータＴＭ１，ＴＭ２，…，ＴＭ１５（以下では，テイクメタデータＴＭと総称する場合もある。）と，から構成される。即ち，構成表メタデータは，１つの映像プログラムに関しては，例えば，１つのプログラムメタデータＰＭの電子ファイルと，撮像したテイク数に相当する数（図２では１５個）のテイクメタデータＴＭの電子ファイルと，を有している。なお，図２では，各テイクメタデータＴＭがプログラムメタデータＰＭ中のどのカットに関連付けられているかを分かり易くするため，複数のテイクメタデータＴＭを縦に連結して表現しているが，実際には，各テイクメタデータＴＭはテイク毎に独立した１つのファイルとして管理されている。
【００５９】
＜２．３  プログラムメタデータ＞
次に，図２〜図４に基づいて，プログラムメタデータＰＭについて詳細に説明する。また，図３および図４は，図２に示した構成表メタデータの一部を拡大して示す説明図である。なお，図４では，図面スペースの都合上，テイクメタデータの内容が，その一部のみしか表示されていない。
【００６０】
プログラムメタデータＰＭは，図２に示すように，例えば，プログラム識別階層，取材階層，シーン階層，カット階層からなる階層構造を有している。これらの階層のうち，例えば，プログラム識別階層が最上位階層であり，取材階層がこのプログラム識別階層の下位階層であり，さらに，シーン階層がこの取材階層の下位階層であり，カット階層が最下位階層である。
【００６１】
具体的には，図２に示すプログラムメタデータＰＭにおいて，プログラム識別階層は，プログラムを識別するためのメタデータを有している。また，取材階層は，２つの取材に関するメタデータを有している。さらに，シーン階層は，５つのシーンに関するメタデータを有している。最後に，カット階層は，１３のカットに関するメタデータを有している。換言すると，図２に示した構成表メタデータの映像プログラムは，２つの取材から構成されている，５つのシーンから構成されている，或いは，１３のカットから構成されているということができる。
【００６２】
このように，プログラムメタデータＰＭは，プログラム識別階層を頂点とし，取材階層，シーン階層，カット階層に遷移するにつれて徐々に細分化されるようなツリー構造を有する。なお，プログラムメタデータＰＭの階層構造は，上記の例に限定されない。例えば，プログラムメタデータＰＭの階層構造は，上記４つの階層以外にも，さらに新たな階層を含んでもよい。また，プログラムメタデータＰＭの階層構造は，少なくともプログラム識別階層とカット階層さえ含めばよく，取材階層またはシーン階層は必ずしも含まなくともよい。この場合，例えば，取材階層のデータを，全体として１つの取材データファイル，或いは各取材毎に作成された複数の取材データファイルなどの別ファイルで管理し，この取材データファイルとプログラムメタデータＰＭとを，リファレンス番号若しくはＩＤ等のリファレンス情報を用いて相互にリンクしてもよい。これにより，プログラムメタデータＰＭのデータ量を低減できる一方，プログラムメタデータＰＭに基づいて取材階層のデータを容易かつ迅速に参照することができる。また，同様にして，シーン階層のデータについても，シーンデータファイル等を作成して，別ファイルで管理してもよい。
【００６３】
また，プログラムメタデータＰＭの各階層において，例えば，上方の欄に記入されている取材，シーン，カットほど，シナリオ順が先であることを示す。例えば，図２に示す映像プログラムを構成する５つのシーンのうち，最上段の欄のシーンがシナリオの最初のシーンであり，一方，最下段の欄のシーンがシナリオの最終のシーンとなる。
【００６４】
次に，かかる構造のプログラムメタデータＰＭが有するメタデータの内容について説明する。
【００６５】
まず，プログラムメタデータＰＭは，全体としては，例えば，制作指示情報と，プログラム撮像状況情報と，テイク関連付け情報などを含んでいる。これらのうち，例えば，制作指示情報およびプログラム撮像状況情報は，階層構造化されており，一方，テイク関連付け情報は，例えば，カット階層にのみ含まれている。以下に，制作指示情報，プログラム撮像状況情報およびテイク関連付け情報についてそれぞれ説明する。
【００６６】
制作指示情報は，企画構成部署が，取材部署や編集部署などに対して映像プログラムの制作内容を指示するためのメタデータである。この制作指示情報は，企画構成部署担当者の入力に基づいて，企画端末１０によって生成され，プログラムメタデータＰＭ内の該当欄に書き込まれる。企画構成部署は，当然ながら，映像プログラムのシナリオに沿った内容で制作指示を行うので，この制作指示情報はシナリオに対応した内容で構成されている。このため，映像プログラムの制作を分担する各部署の担当者は，かかる制作指示情報を閲覧することにより，制作指示内容のみならず，映像プログラムのシナリオを把握することができる。
【００６７】
かかる制作指示情報は，例えば，プログラムメタデータＰＭにおいて，プログラム識別階層全体，取材階層の「取材指示」，シーン階層の「シーン指示」，およびカット階層の「カット指示」の欄に，例えばテキストデータとして記入される。この結果，制作指示情報は，全体として階層構造化されることとなる。制作指示情報がこのように階層構造化されていることにより，企画構成部署による制作指示内容およびシナリオを明確かつ簡潔に表現することができる。
【００６８】
プログラム撮像状況情報は，例えば，カット階層以上の階層（例えば，カット階層，シーン階層，取材階層等）に対応した撮像状況に関するメタデータである。このプログラム撮像状況情報とは，より具体的には，例えば，取材・撮像した映像に関する連絡事項や注意事項，提案事項，撮像した情景の特徴や印象，或いは，取材・撮像作業で発生した事項などである。かかるプログラム撮像状況情報は，例えば，取材部署担当者の入力に基づいてフィールドＰＣ５０によって生成され，プログラムメタデータＰＭ内の該当欄に書き込まれる。映像プログラムの制作を分担する各部署は，かかるプログラム撮像状況情報を閲覧することにより，映像撮像時における撮像状況を把握できる。
【００６９】
かかるプログラム撮像状況情報は，例えば，プログラムメタデータＰＭにおいて，取材階層の「取材メモ」，シーン階層の「シーンメモ」，およびカット階層の「カットメモ」の欄に，例えばテキストデータとして記載される。この結果，プログラム撮像状況情報もまた，全体として階層構造化されることとなる。プログラム撮像状況情報がこのように階層構造化されていることにより，上記撮像状況を明確かつ簡潔に表現することができる。なお，本実施形態にかかるプログラムメタデータＰＭでは，プログラム識別階層に上記プログラム撮像状況情報を含んでいないが，かかる例に限定されず，例えば，プログラム識別階層に上記プログラム撮像状況情報を記載できるようにしてもよい。
【００７０】
テイク関連付け情報は，上記テイクのコンテンツデータおよびテイクメタデータＴＭを，カットに関連付けるためのメタデータである。より具体的には，このテイク関連付け情報は，例えば，「テイクデータ」情報，「ＯＫ／ＮＧ」情報，「ビデオファイル名」情報，「ローレゾファイル名」情報および「テイクメタデータファイル名」情報などからなるが，詳細については後述する。かかるテイク関連付け情報は，例えば，取材部署または編集部署担当者の入力に基づいて，取材端末２０または編集端末３０によって生成され，プログラムメタデータＰＭのカット階層内の該当欄に書き込まれる。映像プログラムの制作を分担する各部署は，かかるテイク関連付け情報を閲覧することにより，カットに対していかなるテイクが割り当てられているかを把握できる。さらに，編集端末３０なども，例えば，かかるテイク関連付け情報に基づいて，カットとテイクの関連性を自動的に判断することができる。
【００７１】
次に，図３および図４を参照しながら，プログラムメタデータＰＭのメタデータ項目の具体例について，各階層毎に，詳細に説明する。
【００７２】
（プログラム識別階層）
まず，プログラム識別階層には，図３に示すように，例えば，「プログラムＩＤ：［ＩＤ］」，「プログラムタイトル：［Ｔｔｌ］」などの項目が設けられる。
・「プログラムＩＤ」には，映像プログラム毎に付される固有のＩＤが記入される。図３の例の映像プログラムには，例えば「Ｐ２００２−１０」なるプログラムＩＤが付されている。このプログラムＩＤにより，そのプログラムメタデータＰＭがいかなる映像プログラムに関するものであるかを識別することができる。
・「プログラムタイトル」には，映像プログラムのタイトルが記入される。図３の例では，「東西麺つゆの境界線」なるタイトルが記入されている。
【００７３】
（取材階層）
次に，取材階層は，図３に示すように，「取材指示」の欄と，「取材メモ」の欄に区分されている。
【００７４】
「取材指示」の欄は，企画構成部署の担当者が取材階層の上記制作指示情報を記入するための欄である。この「取材指示」の欄には，例えば，「取材ＩＤ：［ＩＤ］」，「取材タイトル：［Ｔｔｌ］」，「カメラマン：［Ｃａｍ］」，「レポータ：［Ｒｅｐ］」，「場所：［Ｐｌｃ］」，「指定時刻：［Ｔｉｍ］」，「取材指示内容：［Ｄｓｃ］」などの項目が設けられる。
・「取材ＩＤ」には，取材毎に付される固有のＩＤが記入される。例えば，図３に示す取材には，例えば「Ａ２００２−１００１」なる取材ＩＤが付されている。この取材ＩＤにより，例えば，その取材がいかなる映像プログラムに属する何番目の取材であるかを識別することができる。
・「取材タイトル」には，取材のタイトルが記入される。図３の例では，「名古屋の麺つゆ」なるタイトルが記入されている。
・「カメラマン」には，当該取材を担当するよう指名されたカメラマンの名前またはＩＤが記入される。
・「レポータ」には，当該取材を担当するよう指名されたレポータの名前またはＩＤが記入される。
・「場所」には，当該取材を行う場所の指示が記入される。
・「指定時刻」には，取材開始時刻および終了時刻の指示が記入される。
・「取材指示内容」には，取材指示の内容が記入される。この取材指示とは，例えば，当該取材の目的，概要などである。
【００７５】
また，「取材メモ」の欄は，取材部署の担当者が取材階層の上記プログラム撮像状況情報を記入するための欄である。この「取材メモ」の欄には，「取材メモ内容：［Ｄｓｃ］」などの項目が設けられる。
・「取材メモ内容」には，例えば，取材階層の取材・撮像状況のメモが記入される。具体的には，例えば，取材担当者が取材全体を通して気づいた連絡事項，注意事項および提案事項，取材場所の特徴および印象，取材作業全体で発生した事項などの情報が主に記入される。
【００７６】
（シーン階層）
次に，シーン階層は，図３に示すように，「シーン指示」の欄と，「シーンメモ」の欄に区分されている。
【００７７】
「シーン指示」の欄は，企画構成部署の担当者がシーン階層の上記制作指示情報を記入するための欄である。この「シーン指示」の欄には，例えば，「シーン番号：［Ｎｏ］」，「シーンタイトル：［Ｔｔｌ］」，「シーン指示内容：［Ｄｓｃ］」などの項目が設けられる。
・「シーン番号」には，１つの取材を構成する少なくとも１つのシーンに付される固有の番号が記入される。このシーン番号は，例えば，１つの取材内においてシーン順に通し番号で付されるので，１つの取材内で同一のシーン番号が用いられることはない。例えば，図３に示す取材（「名古屋のつゆ」の取材）は，２つのシーンから構成されており，このうち，シーン順が１番目のシーンにはシーン番号「１」が付され，２番目のシーンにはシーン番号「２」が付されている。このように，かかるシーン番号はシーンの構成順を指示する情報であるともいえる。
・「シーンタイトル」には，シーンのタイトルが記入される。図３の例では，「店の外観」または「店の名」なるタイトルが記入されている。
・「シーン指示内容」には，シーン指示の内容が記入される。このシーン指示とは，撮像すべきシーン構成の指示であり，例えば，当該シーンの概要，展開などである。このような，「シーンタイトル」および「シーン指示内容」に記載された内容は，シナリオにおけるシーン構成に対応している。
【００７８】
また，「シーンメモ」の欄は，取材部署の担当者がシーン階層の上記プログラム撮像状況情報を記入するための欄である。この「シーンメモ」の欄には，「シーンメモ内容：［Ｄｓｃ］」などの項目が設けられる。
・「シーンメモ内容」には，例えば，シーン階層の取材・撮像状況のメモが記入される。具体的には，例えば，取材担当者がシーン単位で気づいた連絡事項，注意事項および提案事項，撮像したシーンの特徴および印象，シーンの撮像作業で発生した事項などの情報が主に記入される。
【００７９】
（カット階層）
次に，カット階層は，図４に示すように，「カット指示」の欄と，「カットメモ」の欄と，「テイク関連付け情報」の欄と，に区分されている。
【００８０】
「カット指示」の欄は，企画構成部署の担当者がカット階層の上記制作指示情報を記入するための欄である。この「カット指示」の欄には，例えば，「カット番号：［Ｎｏ］」，「カットタイトル：［Ｔｔｌ］」などの項目が設けられる。
・「カット番号」には，１つのシーンを構成する少なくとも１つのカットに付される固有の番号が記入される。このカット番号は，例えば，１つのシーン内において通し番号で付されるので，１つのシーン内で同一のカット番号が用いられることはない。図４の例では，上記シーン番号１のシーン（即ち，「店の外観」のシーン）は，２つのカットから構成されており，このうち，カット順が１番目のカットにはカット番号「１」が付され，２番目のカットにはカット番号「２」が付されている。このように，かかるカット番号はカットの構成順を指示する情報であるともいえる。
・「カットタイトル」には，カットのタイトルが記入される。図３の例では，「店の全体」または「店の入り口」なるタイトルが記入されている。このカットタイトルの内容は，シナリオにおけるカット構成に対応しており，撮像すべきカット内容を指示する情報として機能するので，カメラマンが撮像対象を特定できる程度具体的に記入されることが好ましい。なお，例えば，「カット指示」の欄が，カットの内容をより詳細に指示するための「カット指示内容」の項目をさらに含むように構成してもよい。
【００８１】
また，「カットメモ」の欄には，取材部署の担当者がカット階層の上記プログラム撮像状況情報を記入するための欄である。この「カットメモ」の欄には，「カットメモ内容：［Ｄｓｃ］」などの項目が設けられる。
・「カットメモ内容」には，例えば，カット階層の取材・撮像状況のメモが記入される。具体的には，例えば，取材担当者がカット単位で気づいた連絡事項，注意事項および提案事項，撮像したカットの特徴および印象，カットの撮像作業で発生した事項などの情報が主に記入される。
【００８２】
また，「テイク関連付け情報」の欄は，例えば，取材端末２０および編集端末３０が上記テイク関連付け情報を入力するための欄である。この「テイク関連付け情報」の欄には，「テイクデータ（「テイク番号」，「Ｉｎ点」および「Ｏｕｔ点」）」，「ＯＫ／ＮＧ」，「ビデオファイル名」，「ローレゾファイル名」，「テイクメタデータファイル名」などの項目が設けられる。
・「テイクデータ」には，「テイク番号」，「Ｉｎ点」および「Ｏｕｔ点」などの項目が設けられる。
・「テイク番号」には，テイク毎に付される固有の番号等の識別子が記入される。このテイク番号とは，例えば，取材部署側で新たなテイクが実行される度にそのテイクに対して順次付されていく番号であり，企画構成側の意図したシナリオとは無関係に付されるものである。従って，原則として，異なるテイクについて同一のテイク番号が付されることはない。
また，かかるテイク番号は，例えば，ＵＭＩＤ（Ｕｎｉｑｕｅ  Ｍａｔｅｒｉａｌ  ＩＤｅｎｔｉｆｉｅｒ）とすることもできる。この「ＵＭＩＤ」は，コンテンツデータ等の映像素材をグローバルユニークに特定できる識別子であり，ＳＭＰＴＥ３３０Ｍ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ  ３３０Ｍ）で規格化されている。本実施形態にかかるＵＭＩＤは，例えば，少なくとも撮像装置４０の機器番号と時間情報とを含む基本ＵＭＩＤである。このＵＭＩＤは，例えば，コンテンツデータに対してテイク単位（ビデオファイル単位）で付与されているので，かかるＵＭＩＤによってテイクを特定することができる。
このようにして，映像素材にシナリオとは無関係なテイク番号を付することで，シナリオと映像素材を分離することができる。また，例えば，上記ＵＭＩＤをテイク番号として採用することにより，複数の映像プログラム間においても，異なるテイクには同一のテイク番号を付さないようにすることができ，シナリオと映像素材をより完全に分離できる。なお，かかるテイク番号は，例えば，撮像装置４０によって自動的に作成されて，入力される。
・「Ｉｎ点」および「Ｏｕｔ点」には，例えば，編集作業において決定された編集開始位置（Ｉｎ点）のタイムコードと，編集終了位置（Ｏｕｔ点）のタイムコードと，が入力される。このタイムコードが例えば「０９：４３：５２：０１」と入力されている場合には，「９時４３分５２秒の第１フレーム」であることを意味する。かかるＩｎ点およびＯｕｔ点情報は，当該テイクのコンテンツデータから必要な映像部分を抽出した範囲を表す情報，即ち，映像プログラムに用いられる有効範囲を表す情報の一例である。なお，タイムコードは，上記のような時間情報およびフレーム情報だけではなく，日付情報などをさらに含むようにしてもよい。
・「ＯＫ／ＮＧ」には，「ＯＫ」または「ＮＧ」が入力される。「ＯＫ」と入力された場合には，当該テイクのコンテンツデータが採用されるべきものあることを表す。一方，「ＮＧ」と入力された場合には，当該テイクのコンテンツデータが不採用とすべきものあることを表す。１のカットについて複数のテイクが関連付けられている場合，原則として，「ＯＫ」とされるのは，例えば１つのテイクだけであり，その他は「ＮＧ」とされる。このように，かかるＯＫ／ＮＧ情報は，カットに関連付けられたテイクの中からいずれか１つの採用すべきテイクを選択する情報として機能する。なお，かかるＯＫ／ＮＧ情報は，例えば，撮像装置４０またはフィールドＰＣ５０によって，手動または自動で入力される。
・「ビデオファイル名」には，当該テイクのオリジナル映像のコンテンツデータが記録されているファイル名が入力される。このビデオファイル名は，上記テイク番号と同様に，映像素材ごとに固有のファイル名が，シナリオとは無関係に付されている。このため，かかるビデオファイル名によって，オリジナル映像のコンテンツデータを特定できる。なお，かかるビデオファイル名は，例えば，カメラマン等によって手動で入力されても良いし，或いは，撮像装置４０またはフィールドＰＣ５０によって，テイクの撮像順にシーケンシャルな番号を付与するなどして，自動的に作成されてもよい。また，ビデオファイル名の拡張子である「ｍｘｆ」は，「ｍａｔｅｒｉａｌ  ｅｘｃｈａｎｇｅ  ｆｏｒｍａｔ」のコンテンツデータであることを意味する。
・「ローレゾ（ｌｏｗ  ｒｅｓｏｌｕｔｉｏｎ）ファイル名」には，当該テイクのローレゾ映像やローレゾ音声が記録されているファイル名が入力される。このローレゾファイル名も，上記テイク番号と同様に，映像素材ごとに固有のファイル名が，シナリオとは無関係に付されている。このため，かかるローレゾファイル名によって，ローレゾ映像のコンテンツデータを特定できる。なお，かかるローレゾファイル名は，例えば，撮像装置４０またはフィールドＰＣ５０によって，手動または自動で入力される。なお、ローレゾ映像やローレゾ音声をオリジナル映像や音声に加えて記録しておくと、データ量の少ないローレゾ映像やローレゾ音声を予め取材先から放送局に伝送して，粗編集などをオリジナル映像や音声が届く前に進めておくなどすることができる。
・「テイクメタデータファイル名」には，当該テイクに対応したテイクメタデータのファイル名が入力される。かかるテイクメタデータファイル名は，プログラムメタデータＰＭのカット階層とテイクメタデータＴＭを関連付ける情報として機能する。なお，かかるテイクメタデータファイル名は，例えば，撮像装置４０またはフィールドＰＣ５０によって，手動または自動で入力される。
【００８３】
上記のような項目からなるテイク関連付け情報によって，プログラムメタデータＰＭ内のカットに対して，テイクを従属させることができる。例えば，図２の例では，プログラムＩＤ：「Ｐ２００２−１０」，取材ＩＤ：「Ａ２００２−１００１」，シーン番号：「１」，カット番号：「１」で特定されるカット（最上段の欄のカット）には，テイク番号「１」および「２」で特定される２つのテイクがリンクされている。このように，テイク関連付け情報は，企画構成部署側で意図したカットと，取材部署側で得た実際の映像素材とを結びつける機能を有する。
【００８４】
以上，プログラムメタデータＰＭ内の各項目，およびそのメタデータの内容について詳細に説明した。なお，プログラムメタデータＰＭ内の項目および内容は，上記例に限定されず，上記以外にも，例えば，取材用機材の指示，制作スケジュール，作業の進捗状況，代表的な静止画像，他部署の作業に関するメモなど，映像プログラムの制作に関わる各種情報が入力されてもよい。
【００８５】
＜２．４  テイクメタデータ＞
次に，図２，図４および図５に基づいて，テイクメタデータＴＭについて詳細に説明する。なお，図５は，本実施形態にかかる１つのテイクメタデータＴＭの内容を詳細に例示する説明図である。
【００８６】
まず，テイクメタデータＴＭの構造およびプログラムメタデータＰＭとの関係について説明する。
【００８７】
テイクメタデータＴＭは，撮像装置４０によってあるテイクのコンテンツデータが記録されると，例えば，このテイクのコンテンツデータと１対１対応して作成される。即ち，テイクの撮像が行われる度に，新たなテイクメタデータＴＭが作成される。従って，撮像したテイクの回数が多いほど，作成されるテイクメタデータＴＭのファイル数も多くなることになる。例えば，図２の例では，１３個のカットに対して１５個のテイクが実行されているため，作成されたテイクメタデータＴＭのファイル数も１５個になっている。
【００８８】
このように，テイクメタデータＴＭのファイルは，プログラムメタデータＰＭのファイルとは別個の独立したファイルとしてテイク毎に作成される。
【００８９】
さらに，かかるテイクメタデータＴＭは，例えば，上記プログラムメタデータＰＭ内のテイク関連付け情報（「テイクメタデータファイル名」の項目）によって，コンテンツデータとともに上記カット階層のカットに関連付けられている。例えば，テイクメタデータＴＭ１は，プログラムＩＤ：「２００２−１０」，取材ＩＤ：「２００２−１００１」，シーン番号：「１」，カット番号：「１」で特定されるカットに，関連付けられている。この際，テイクメタデータＴＭ１は，ビデオファイル１およびローレゾファイル１とともに当該カットに関連付けられている。さらに，このカットには，テイクメタデータＴＭ２も関連付けられている。このように，１つのカットに対して２つのテイクメタデータＴＭを関連付けることもできる。また，逆に，１つのテイクメタデータＴＭを異なる２以上のカットに関連付けることもできる。
【００９０】
次に，テイクメタデータＴＭの内容について説明する。
【００９１】
テイクメタデータＴＭの内容は，例えば，テイク撮像条件情報およびテイク撮像状況情報などである。テイク撮像条件情報は，各テイクの実行時における撮像装置４０等の撮像条件を表すメタデータである。このテイク撮像条件情報は，例えば，撮像装置４０などによってテイク単位で自動的に生成され，テイクメタデータＴＭ内に書き込まれる。また，テイク撮像状況情報とは，例えば，テイクにおける撮像状況に関するメタデータである。かかるテイク撮像状況情報は，例えば，取材部署担当者の入力に基づいて，フィールドＰＣ５０などによってテイク単位で生成され，テイクメタデータＴＭ内に書き込まれる。
【００９２】
具体例を挙げて説明すると，図５に示すように，テイクメタデータＴＭには，テイク撮像状況情報である「テイクメモ内容：［Ｄｓｃ］」と，テイク撮像条件情報である「日付：［Ｄａｔｅ］」，「時刻：［Ｔｉｍｅ］」，「緯度経度情報：［Ｐｏｓ］」，「機器番号：［Ｍａｃｈｉｎｅ］」および「機器設定情報：［Ｓｅｔｕｐ］」などの項目が設けられる。
・「テイクメモ内容」には，例えば，テイク単位の撮像状況のメモが記入される。具体的には，例えば，テイクの撮像時において，取材担当者が気づいた連絡事項，注意事項および提案事項，テイクの特徴および印象，テイクの撮像作業で発生した事項，当該テイクのコンテンツデータに関する事項などの情報が主に記入される。
・「日付」には，当該テイクの撮像を行った日付が入力される。
・「時刻」には，当該テイクの撮像を行った時刻が入力される。
・「緯度経度情報」には，当該テイクの撮像を行った場所の緯度および経度情報（ＧＰＳ情報）が入力される。
・「機器番号」には，当該テイクの撮像を行った撮像装置４０の機器番号が入力される。
・「機器設定情報」には，当該テイクの撮像を行った撮像装置４０の設定（セットアップ）情報が入力される。この機器設定情報は，例えば，カメラのフィルタの種類，ホワイトバランススイッチ，ゲインスイッチ，ＤＣＣ（ダイナミックコントラストコントロール）スイッチ，シャッタスイッチ，レンズのエクステンダースイッチ等の状態（スイッチのｏｎ／ｏｆｆやレベル等）などである。
【００９３】
以上のようにテイクメタデータＴＭは，あくまで，実際の撮像処理であるテイクに関するメタデータからなり，シナリオ等の企画構想に関するメタデータなどは含んでいない。かかる内容のテイクメタデータＴＭを参照することによって，映像プログラムの制作を分担する各部署は，例えば，テイクメタデータＴＭに対応するコンテンツデータの内容，撮像条件，機器の状態などを把握できる。かかるテイクメタデータＴＭ内の情報は，特に，編集部署においてコンテンツデータの編集作業を行う際に有用である。
【００９４】
＜２．５  構成表メタデータのディレクトリ構成＞
次に，図６に基づいて，本実施形態にかかる構成表メタデータのディレクトリ構成について詳細に説明する。なお，図６は，本実施形態にかかる構成表メタデータのディレクトリ構成を例示する説明図である。
【００９５】
図６に示すように，本実施形態にかかるディレクトリ構成では，例えば，ルートディレクトリＲに対し，複数のプログラムメタデータファイルＰＭ１，ＰＭ２，…と，複数のテイクフォルダＴ１，Ｔ２，…が，並列に位置づけられる。この各テイクフォルダＴｎの中には，例えば，同一のテイクに関する，オリジナル映像のビデオファイルＶｎと，ローレゾ映像のローレゾファイルＬｎと，テイクメタデータファイルＴＭｎなどが一組になって格納されている。なお，かかるディレクトリ構成は，構成表メタデータおよびコンテンツデータを，光ディスク３などの記録媒体や，各端末装置１０，２０，３０の記録装置などに格納する際に適用されるものである。
【００９６】
このように，シナリオ等に該当するプログラムメタデータファイルＰＭと，テイクに関するファイル群とを並列に位置づけることにより，双方のファイルの内容を独立して処理することができる。さらに，複数の映像素材およびそのメタデータ（即ち，複数のコンテンツデータおよびテイクメタデータＴＭ）と，複数のシナリオのメタデータ（即ち，複数のプログラムメタデータＰＭ）と，を自由にリンクすることもできる。
【００９７】
＜２．６  構成表メタデータの特徴点＞
以上のような構成の構成表メタデータの主要な特徴点をまとめると，例えば，以下の通りである。
【００９８】
（１）構成表メタデータは，撮像装置４０等でも読み込み可能な電子ファイル形式のファイルで作成される。これにより，企画構成部署，取材部署および編集部署などで一貫して利用可能な電子ファイル形式の構成表メタデータを提供でき，制作作業の正確化と迅速化が図れる。
【００９９】
（２）プログラムメタデータＰＭは階層構造化されており，映像プログラムごとに１つのファイルで管理される。さらに，プログラムメタデータＰＭには，制作指示情報が階層化されて含まれており，プログラム撮像状況情報も階層化されて含まれている。これにより，各担当者は映像プログラム全体の内容を容易に認識することができる。さらに，撮像担当者は，カット階層の制作指示情報に基づいて，撮像すべき対象物を容易に把握できるとともに，カットごとに撮像を繰り返していくことで撮り忘れを防止できる。さらに，撮像順序も任意であり，取り直しも自由である。
【０１００】
（３）プログラムメタデータＰＭとテイクメタデータＴＭが，別のファイルで作成される。これにより，プログラムメタデータＰＭに含まれるメタデータを，シナリオ等に関連するメタデータに限定して，全ての部署で共用されるプログラムメタデータＰＭのデータ量を小さく抑えることができる。また，シナリオ等の企画構成側の意図に関するメタデータと，実際に撮像した映像素材に関するメタデータとを分離して管理することができる。よって，プログラムメタデータＰＭとテイクメタデータＴＭを相互に独立して処理することができる。
【０１０１】
（４）テイクメタデータＴＭは，テイク毎に別ファイルで作成される。これにより，テイク毎にコンテンツデータとテイクメタデータＴＭとを組み合わせることができる。このとき，テイクメタデータＴＭは，対応するコンテンツデータのインデックス情報として機能する。
【０１０２】
（５）同じテイクのコンテンツデータおよびテイクメタデータＴＭをカットに関連付けるテイク関連付け情報は，プログラムメタデータＰＭに含まれている。これにより，プログラムメタデータＰＭ側で，各カットに対して，映像素材（テイク単位のコンテンツデータ）を柔軟に関連付けることができる。例えば，１つのカットに対して，複数の映像素材を関連付けることができる。また，複数のカットに対して，同一の映像素材を関連付けることもできる。さらに，異なるプログラムメタデータＰＭに属するカットに対して，同一の映像素材を，関連付けることもできる。
【０１０３】
このように，本実施形態にかかる構成表メタデータは，そのデータ構造上の特徴により，映像プログラムの制作効率を改善することができる。
【０１０４】
＜３．企画端末＞
次に，図７に基づいて，本実施形態にかかる企画端末１０について詳細に説明する。なお，図７は，本実施形態にかかる企画端末１０の概略的な構成を示すブロック図である。
【０１０５】
図７に示すように，企画端末１０は，ＣＰＵ１０２と，メモリ部１０４と，入力部１０６と，表示部１０８と，音声出力部１１０と，通信部１１２と，外部インタフェース１１４と，記録装置１１６と，ディスク装置１１８と，プログラムメタデータ作成部１２０と，メタデータ表示制御部１２２と，制作指示情報生成部１２４を備える。
【０１０６】
ＣＰＵ１０２は，演算処理装置および制御装置として機能し，企画端末１０の各部の処理を制御することができる。また，メモリ部１０４は，例えば，ＲＡＭ，ＲＯＭ，フラッシュメモリなどで構成されており，ＣＰＵ１０２の処理に関する各種データ，ＣＰＵ１０２の動作プログラム等を記憶する機能を有する。
【０１０７】
入力部１０６は，マウス，キーボード，タッチパネルなどの入力装置から構成されている。企画構成部署の担当者は，この入力部１０６を用いて，例えば，プログラムメタデータＰＭに制作指示情報の内容などを記入することができる。
【０１０８】
表示部１０８は，例えば，ＣＲＴモニタや液晶モニタなどで構成される。この表示部１０８は，構成表メタデータやコンテンツデータに含まれる映像データなどを表示することができる。例えば，表示部１０８は，後述する撮像装置４０が送信するローレゾ映像を，例えば撮像中にリアルタイムで表示することなどもできる。また，音声出力部１１０は，スピーカなどの発音装置と音声データ処理装置等から構成されており，コンテンツデータに含まれる音声データを出力することができる。
【０１０９】
通信部１１２は，例えば，取材端末２０および編集端末３０などとの間でネットワーク５を介して，プログラムメタデータＰＭ等の構成表メタデータや，ローレゾ映像のコンテンツデータなどの各種データを通信することができる。また，この通信部１１２は，例えばＳＤＩ（Ｓｅｒｉａｌ  Ｄｉｇｉｔａｌ  Ｉｎｔｅｒｆａｃｅ）により上記データをネットワーク５を介して送信する場合には，ＫＬＶ（Ｋｅｙ  Ｌｅｎｇｔｈ  Ｖａｌｕｅ）符号化などの符号化処理をすることもできる。また，本実施形態では，この通信部１１２は，少なくともプログラムメタデータＰＭを，ネットワーク５経由で取材端末２０または編集端末３０などに提供するプログラムメタデータ提供部として機能する。  
【０１１０】
外部インタフェース１１４は，企画端末１０に例えばＵＳＢ（Ｕｎｉｖａｒｓａｌ  Ｓｅｒｉａｌ  Ｂｕｓ），ＳＣＳＩ（Ｓｍａｌｌ  Ｃｏｍｐｕｔｅｒ  Ｓｙｓｔｅｍ  Ｉｎｔｅｒｆａｃｅ）などで接続された周辺機器との間で，データの通信を行う部位である。この周辺装置は，例えば，光ディスクドライブやハードディスクドライブ等のディスク装置などの記録再生装置，プリンタ，スキャナなどである。
【０１１１】
記録装置１１６は，例えば，ハードディスクドライブ等で構成されたストレージ装置であり，各種プログラム，構成表メタデータ，オリジナル映像またはローレゾ映像等のコンテンツデータなどの各種データを格納することができる。
【０１１２】
ディスク装置１１８は，例えば，ＤＶＤ−Ｒ，ＤＶＤ−ＲＡＭ，ＣＤ−Ｒや光磁気ディスク等の各種の光ディスク３や，フレキシブルディスク，ハードディスク等の磁気ディスク，半導体メモリなどの記録媒体に対して，コンテンツデータ，構成表メタデータ，各種アプリケーションプログラムなどを読み書きする装置である。このディスク装置１１８は，例えば，企画端末１０に内蔵されてもよいし，また，企画端末１０に対して外付けされてもよい。
【０１１３】
プログラムメタデータ作成部１２０は，上記電子ファイル形式のプログラムメタデータＰＭを新規に作成する機能を有する。より詳細には，企画構成部署の担当者によって入力部１０６が操作され，新規な構成表メタデータの作成が指示されると，プログラムメタデータ作成部１２０は，例えば，新たなプログラムメタデータＰＭの枠組みを自動的に作成する。この枠組みとは，例えば，図２に示したようなプログラムメタデータＰＭ内の記入欄および項目などに該当するレイアウトである。なお，かかるプログラムメタデータＰＭは，例えば，ＸＭＬ（ｅｘｔｅｎｓｉｂｌｅ  ｍａｒｋｕｐ  ｌａｎｇｕａｇｅ）等のタグ言語などで記述されることにより，作成される。
【０１１４】
さらに，プログラムメタデータ作成部１２０は，例えば，上記のようにして新規作成したプログラムメタデータＰＭに自動又は手動で新たなファイル名を付し，このプログラムメタデータＰＭのファイルを記録装置１１６などに保存することもできる。
【０１１５】
また，メタデータ表示制御部１２２は，例えば，プログラムメタデータ作成部１２０によって新規作成されたプログラムメタデータＰＭを解釈して，図２に示したようなデータを個別に扱いやすい表形式に変換することができる。さらに，メタデータ表示制御部１２２は，表形式に変換したプログラムメタデータＰＭを表示部１０８に表示させるよう制御することができる。これにより，企画構成部署の担当者は，表形式に整理されたプログラムメタデータＰＭを閲覧することができる。
【０１１６】
制作指示情報生成部１２４は，上記制作指示情報をプログラムメタデータＰＭとして生成することができる。より詳細には，制作指示情報生成部１２４は，例えば，企画構成部署の担当者の入力に基づいて，テキストデータなどである制作指示情報を生成する。さらに，制作指示情報生成部１２４は，例えば，生成した制作指示情報を，上記プログラムメタデータ生成部１２０によって新規作成されたプログラムメタデータＰＭの所定欄の所定項目に順次書き込むことができる。
【０１１７】
かかる制作指示情報生成部１２４の処理により，企画構成部署の担当者は，構成表メタデータにシナリオを記入することができる。即ち，企画構成部署の担当者は，表示されたプログラムメタデータＰＭの枠組みを参照しながら，入力部１０６を操作することにより，企画したシナリオに対応する制作指示情報をプログラムメタデータＰＭの各項目に順次記入することができる。
【０１１８】
上記のようにして作成されたプログラムメタデータＰＭは，例えば，記録装置１１６に保存されるとともに，上記通信部１１２によって例えばネットワーク５を介して取材端末２０または編集端末３０などに提供される。
【０１１９】
なお，上記プログラムメタデータ作成部１２０，メタデータ表示制御部１２２および制作指示情報生成部１２４は，上記のような処理機能を実現できるものであれば，例えば，専用装置（ハードウェア）として構成されてもよく，また，コンピュータ等の企画端末１０に上記処理を実行させるアプリケーションプログラムをインストールして構成されてもよい。さらに，後者の場合，上記アプリケーションプログラムは，企画端末１０に対して，ＣＤ−ＲＯＭ等の記録媒体によって提供されてもよく，また，通信部１１２を介して外部からダウンロードすることで提供されてもよい。また，当該アプリケーションプログラムは，予め，企画端末１０内のメモリ部１０４または記録装置１１６，或いは外部インタフェース１１４に接続された周辺機器などに格納されていてもよい。
【０１２０】
＜４．取材端末＞
次に，本実施形態にかかる取材端末２０を構成する撮像装置４０およびフィールドＰＣ５０について説明する。
【０１２１】
＜４．１  撮像装置＞
まず，図８に基づいて，本実施形態にかかる撮像装置４０について説明する。なお，図８は，本実施形態にかかる撮像装置４０の概略的な構成を示すブロック図である。
【０１２２】
図８に示すように，撮像装置４０は，例えば，各種撮像処理を制御し，映像データを生成するカメラブロック４０２と，音声データ及びメタデータを生成するとともに，コンテンツデータ（映像および音声データ）およびメタデータを通信し，並びにこれらを光ディスク３に記録／再生するレコーダブロック４０３と，から構成される。
【０１２３】
まず，カメラブロック４０２の構成について詳細に説明する。
【０１２４】
カメラブロック４０２は，図８に示すように，撮像部４０７と，ビデオプロセッサ４０８と，ビデオ圧縮部４０９と，ビデオインタフェース４１０と，データバス４１１と，カメラコントローラ４１３と，カメラコントローラインタフェース４１２と，ビデオプロセッサインタフェース４１４と，操作部インタフェース４１５と，操作部４１６と，メモリ部４１７と，ＣＰＵ４１８と，ビューファインダー４１９と，ビューファインダーインタフェース４２０と，レコーダインタフェース４２１と，メタデータ表示制御部４５と，から構成される。
【０１２５】
撮像部４０７は，例えば，光学系ブロックと，駆動系ブロックと，ＣＣＤ（Ｃｈａｒｇｅ  Ｃｏｕｐｌｅｄ  Ｄｅｖｉｃｅ）等の撮像素子（撮像デバイス）などから構成されており，被写体を撮像して映像データを出力することができる。光学系ブロックは，レンズ，絞り，フィルタなどからなり，被写体からの光学像を撮像素子に入射させることができる。駆動系ブロックは，レンズの絞り，ズーム，露出，フォーカスなどを調整することができる。撮像素子は，受光面に２次元的に設けられた光電変換素子からなる複数の画素により，上記光学像を光電変換して電気的な映像データを出力することができる。
【０１２６】
ビデオプロセッサ４０８は，撮像部４０７により生成された映像データに対して，Ａ／Ｄ変換処理，ホワイトバランス処理，γ（ガンマ）補正処理，輪郭補正するためのアパーチャー（ａｐｅｒｔｕｒｅ）処理，またはノイズ減少させるためのＣＤＳ（ｃｏｒｒｅｌａｔｅｄ  ｄｏｕｂｌｅ  ｓａｍｐｌｉｎｇ  ｃｉｒｃｕｉｔ：相関２重サンプリング）処理などを実行する。このビデオプロセッサ４０８は，ビデオプロセッサインタフェース４１４を介して，ＣＰＵ４１８によって制御される。
【０１２７】
ビデオ圧縮部４０９は，上記ビデオプロセッサ４０８からの映像データを，例えば，ＭＰＥＧ１（Ｍｏｖｉｎｇ  Ｐｉｃｔｕｒｅ  Ｅｘｐｅｒｔｓ  Ｇｒｏｕｐ  １），ＭＰＥＧ２−ＴＳ，またはＭＰＥＧ２−ＰＳ方式などにより圧縮処理（エンコード処理）して，上記ローレゾ映像を生成できる。さらに，このビデオ圧縮部４０９は，例えば，かかる圧縮処理を行わずに，生の映像データ（上記オリジナル映像）をそのまま出力することもできる。また，ビデオインタフェース４１０は，ビデオ圧縮部４０９からの映像データ（オリジナル映像およびローレゾ映像）をデータバス４１１に転送するための媒介として機能する。
【０１２８】
カメラコントローラ４１３は，例えば，ＣＰＵ４１８からの指示信号に基づき，レンズの絞り，ズーム，露出，フォーカスなどを好適に調整するよう撮像部４０７を制御する。また，カメラコントローラ４１３は，例えば，タイミングジェネレータを備え，タイミング信号を発生できる。また，カメラコントローラインタフェース４１２は，例えばＣＰＵ４１８からの指示信号などを，カメラコントローラ４１３に転送するための媒介として機能する。
【０１２９】
操作部４１６は，例えば，各種のボタン，レバー，ダイヤルなどで構成される。カメラマンは，かかる操作部４１６を手動で操作することにより，例えば，電源ｏｎ／ｏｆｆ操作，撮像操作，再生操作，ズーム操作，モード変更操作，映像およびメタデータの編集操作などを行うことができる。ＣＰＵ４１８は，この操作部４１６に対する操作内容に基づいて，例えば，レンズの絞りまたはズームの調整，記録開始または終了などの各種処理をカメラブロック４０２の各部に実行させるための指示信号を生成する。また，操作部インタフェース４１５は，上記操作部４１６の操作に関する操作信号を，データバス４１１に転送するための媒介として機能する。
【０１３０】
ＣＰＵ４１８は，カメラブロック４０２内の各部の処理を制御する機能を有する。また，メモリ部４１７は，例えば，ＲＯＭ，ＲＡＭなどから構成され，撮像条件等の撮像処理に関する各種データや，ＣＰＵ４１８用の制御ソフトウェアプログラムなどを記録または一時記憶する。
【０１３１】
ビューファインダー４１９は，例えば，小型のＬＣＤモニタなどで構成された撮像装置用の表示部である。このビューファインダー４１９は，撮像中の映像データ，または再生した映像データなどを表示することができる。これにより，カメラマンは，例えば，ビューファインダー４１９を見ながら，撮像する被写体の確認，撮像中のモニタリング，ディスク３に記録されたコンテンツデータに含まれる映像データのチェック，或いはコンテンツデータの簡単な編集作業などを行うことができる。さらに，このビューファインダー４１９は，例えば，プログラムメタデータＰＭまたはテイクメタデータＴＭなどを，単独で或いは映像データと重畳させて表示することもできる。また，ビューファインダーインタフェース４２０は，データバス４１１から転送される映像データまたは構成表メタデータなどを，上記ビューファインダー４１９に転送するための媒介として機能する。
【０１３２】
レコーダインタフェース４２１は，カメラブロック４０２とレコーダブロック４０３との間で，データを転送するための媒介として機能する。なお，メタデータ表示制御部４５については後述する。
【０１３３】
次に，レコーダブロック４０３の構成について詳細に説明する。
【０１３４】
レコーダブロック４０３は，図８に示すように，マイクロフォン４２２と，オーディオプロセッサ４２３と，オーディオインタフェース４２４と，オーディオプロセッサインタフェース４２５と，カメラインタフェース４２６と，通信部４２７と，日時情報コード生成部４２８と，ＬＣＤ表示インタフェース４３０と，ＬＣＤ表示部４２９と，メモリカードインタフェース４３１と，メモリ部４３２と，ＣＰＵ４３３と，記録再生部４０６と，テイクメタデータ生成部４２と，テイク関連付け部４４と，から構成される。
【０１３５】
カメラインタフェース４２６は，カメラブロック４０２とレコーダブロック４０３との間で，データを転送するための媒介として機能する。
【０１３６】
マイクロフォン４２２は，撮像環境における音声を集音して，音声データを生成する。オーディオプロセッサ４２３は，マイクロフォン４２２から入力された音声データに対して，Ａ／Ｄ変換処理及び音声調整処理などを実行する。また，このオーディオプロセッサ４２３は，Ａ／Ｄ変換した音声データを必要に応じて圧縮することができる。かかるオーディオプロセッサ４２３は，オーディオプロセッサインタフェース４２５を介して，ＣＰＵ４３３によって制御される。また，オーディオインタフェース４２４は，音声データをデータバス４３４に転送するための媒介として機能する。
【０１３７】
通信部４２７は，例えば，企画端末１０，フィールドＰＣ５０または編集端末３０などとの間で，ネットワーク５を介して，構成表メタデータやコンテンツデータなどの各種データを通信することができる。詳細には，通信部４２７は，例えば，企画端末１０が作成したプログラムメタデータＰＭなどを，ネットワーク５を介して受信して取得することができる。このように通信部４２７は，本実施形態にかかる撮像装置４０が具備するプログラムメタデータ取得部として構成されている。また，通信部４２７は，例えば，後述するテイクメタデータ生成部４２が作成したテイクメタデータＴＭや，後述するテイク関連付け部４４が編集したプログラムメタデータＰＭを，ネットワーク５を介してフィールドＰＣ５０，編集端末３０および企画端末１０などに送信することができる。さらに，通信部４２７は，例えば，カメラブロック４０２が生成したローレゾ映像などのコンテンツデータを，撮像と同時に，或いは撮像終了後に，ネットワーク５を介してフィールドＰＣ５０，編集端末３０および企画端末１０などに送信することができる。また，この通信部４２７は，例えばＳＤＩにより上記データをネットワーク５を介して送信する場合には，ＫＬＶ符号化などの符号化処理をすることもできる。
【０１３８】
タイムコード生成部４２８は，例えば，撮像時にタイムコードのタイムカウントを行い，コンテンツデータのフレームごとに上記生成したタイムコードを付加する。なお，このタイムコード生成部４２８は，タイムコードの代わりに，例えば，日付情報およびタイムコードの双方を含む日時情報コードを付加したり，コンテンツデータを構成するフレームごとにフレーム番号を付加したりしてもよい。
【０１３９】
ＬＣＤ表示部４２９は，例えば，コンテンツデータに含まれる映像データ，タイムコード，音声出力レベル，プログラムメタデータＰＭ，テイクメタデータＴＭなどを表示することができる。また，ＬＣＤ表示インタフェース４３０は，データバス４３４から上記ＬＣＤ表示部４２９に，上記各種のデータを転送するための媒介として機能する。
【０１４０】
メモリカードインタフェース４３１は，例えば，半導体メモリ等の記憶媒体に対して，構成表メタデータなどの各種データを読み書きすることができる。なお，本実施形態では，構成表メタデータをネットワーク５を介して通信可能であるので，このメモリカードインタフェース４３１は必ずしも具備されなくともよい。
【０１４１】
ＣＰＵ４３３は，レコーダブロック４０３内の各部の処理を制御する機能を有する。また，メモリ部４３２は，例えば，ＲＯＭ，ＲＡＭなどから構成され，構成表メタデータなどの各種データや，ＣＰＵ４３３用の制御ソフトウェアプログラムなどを記録または一時記憶する。
【０１４２】
記録再生部４０６は，図８に示すように，例えば，ドライブインタフェース４３５と，データプロセッサ４３７と，ローディングメカニズムコントローラ４３８と，メカニズムインタフェース４３９と，から構成されている。
【０１４３】
データプロセッサ４３７は，コンテンツデータを光ディスク３に記録・再生するためのデータ形式に変換することができる。また，ピックアップコントロール４３６は，光ディスク３に対してコンテンツデータを記録再生するために，レーザ発生部及び受光部（図示せず。）の位置を制御することができる。また，メカニズムインタフェース４３９は，データバス４３４から上記データプロセッサ４３７およびピックアップコントロール４３６に，制御信号等を転送するための媒介として機能する。
【０１４４】
ローディングメカニズムコントローラ４３８は，光ディスク３をドライブに着脱する機構（即ち，ローディングメカニズム。図示せず。）を制御することができる。また，メカニズムインタフェース４３９は，データバス４３４から上記ローディングメカニズムコントローラ４３８に，制御信号等を転送するための媒介として機能する。
【０１４５】
かかる構成の記録再生部４０６は，例えば，上記のようにして撮像された映像データと，集音された音声データとを含むコンテンツデータを光ディスク３に記録することができる。この際，記録再生部４０６は，例えば，コンテンツデータをテイク単位のファイルで記録することができる。また，記録再生部４０６は，例えば，オリジナル映像のコンテンツデータだけでなく，ローレゾ映像のコンテンツデータを記録することも可能である。また，記録再生部４０６は，例えば，上記コンテンツデータだけでなく，編集された構成表メタデータを光ディスク３に記録することも可能である。また，記録再生部４０６は，例えば，光ディスク３に記録されているコンテンツデータおよび構成表メタデータを再生することもできる。このため，記録再生部４０６は，企画端末１０から光ディスク３等の記録媒体を介してプログラムメタデータＰＭを取得するプログラムメタデータ取得部としても機能する。
【０１４６】
テイクメタデータ作成部４２は，上記テイク毎にテイクメタデータＴＭを新規に作成し，作成したテイクメタデータＴＭのコンテンツとして上記テイク撮像条件情報を入力することができる。
【０１４７】
より詳細には，カメラブロック４０２によって１回のテイクの撮像処理がなされた場合に，テイクメタデータ作成部４２は，かかるテイクに関するテイクメタデータＴＭのファイルを自動的に新規作成することができる。なお，かかるテイクメタデータＴＭのファイルを新規作成するタイミングは，例えば，当該テイクの撮像処理の開始と同時，当該テイクの撮像処理継続中の任意の時点，当該テイクの撮像処理が終了した直後または所定時間経過後など，任意のタイミングであってよい。
【０１４８】
また，テイクメタデータ作成部４２は，例えば当該テイクに関する撮像条件等の情報（例えば，図５に示したテイクメタデータＴＭの各種項目に関する情報など）を撮像装置４０内の各部から収集し，上記テイク撮像条件情報を自動的に生成することができる。例えば，テイクメタデータ作成部４２は，上記タイムコード生成部４２８から，当該テイクの撮像処理を開始した日付および時間情報を取得したり，カメラブロック４０２のメモリ部４１７，カメラコントローラ４１３およびビデオプロセッサ４０８などから，ＡＧＣゲインのレベル，ホワイトバランススイッチの状態およびＤＣＣスイッチのｏｎ／ｏｆｆなどの撮像装置４０の設定情報を取得したりできる。なお，このようにテイクメタデータ作成部４２がテイク撮像条件情報を自動的に生成するタイミングは，例えば，当該テイクの撮像処理開始から終了まで期間内の任意のタイミングであってよい。
【０１４９】
さらに，テイクメタデータ作成部４２は，このように生成したテイク撮像条件情報を，例えば，上記新規作成したテイクメタデータＴＭのファイルに，テイクメタデータＴＭのコンテンツとして入力することができる。なお，以上のようにして作成されたテイクメタデータＴＭは，例えば，メモリ部４３２や光ディスク３などに記録される。
【０１５０】
テイク関連付け部４４は，上記テイク関連付け情報を生成し，このテイク関連付け情報を，上記企画端末１０から取得したプログラムメタデータＰＭのカット階層のテイク関連付け情報欄に追加入力することができる。これにより，テイク関連付け部４４は，テイク毎に記録したコンテンツデータおよび当該テイクのテイクメタデータＴＭを，上記プログラムメタデータＰＭ内のカットに関連付けることができる。
【０１５１】
より詳細には，まず，テイク関連付け部４４は，例えば，カメラマンのカット選択操作（詳細は後述する。）に基づいて，当該テイクによるコンテンツデータおよび当該テイクのテイクメタデータＴＭを関連付けるべきカットを選択する。次いで，例えば，当該テイクの撮像処理が終了すると，テイク関連付け部４４は，テイク関連付け情報を自動的に生成する。さらに，テイク関連付け部４４は，プログラムメタデータＰＭ内のカットのうち，上記選択したカットに対応する欄に，生成したテイク関連付け情報を入力する。
【０１５２】
このようにして，書き込まれるテイク関連付け情報は，例えば，図２で示したような，テイク番号，ＯＫ／ＮＧ情報，ビデオファイル名，ローレゾファイル名およびテイクメタデータファイル名などである。以下に，テイク関連付け部４４が，かかるテイク関連付け情報を，それぞれどのようにして生成して入力するかについて説明する。
【０１５３】
まず，テイク番号について説明する。テイク関連付け部４４は，例えば，カットに割り付けられたテイク番号がない場合には，テイク番号を「１」とする。一方，割り付けられたテイク番号がある場合には，テイク関連付け部４４は，例えば，既存のテイク番号のうち最大の番号に１を加えた数字をテイク番号とする。なお，このテイク番号は，例えば，上記ＵＭＩＤとしてもよい。
【０１５４】
次に，ＯＫ／ＮＧ情報について説明する。テイク関連付け部４４は，例えば，カメラマンのＯＫ／ＮＧ選択操作（詳細は後述する。）に基づいてＯＫ／ＮＧ情報を生成し，「ＯＫ」または「ＮＧ」を該当欄に入力する。
【０１５５】
次に，ビデオファイル名，ローレゾファイル名，およびテイクメタデータファイル名について説明する。テイク関連付け部４４は，例えば，光ディスク３などに記録されたオリジナル映像およびローレゾ映像のファイル名を取得して，該当欄に入力する。テイクメタデータファイル名について説明する。また，テイク関連付け部４４は，例えば，上記テイクメタデータ作成部４２によって生成されたテイクメタデータＴＭのファイル名を取得して，該当欄に入力する。
【０１５６】
このようにして，テイク関連付け部４４は，テイク関連付け情報を生成して，プログラムメタデータＰＭに追加入力することができる。従って，このテイク関連付け部４４は，例えば，少なくともプログラムメタデータＰＭを編集する取材端末用メタデータ編集部として機能する。
【０１５７】
また，カメラブロック４０２のメタデータ表示制御部４５は，例えば，構成表メタデータの変換処理を実行するとともに，変換処理された構成表メタデータを，ビューファインダー４１９に表示させる表示制御処理を実行することができる。
【０１５８】
より詳細には，かかるメタデータ表示制御部４５は，例えば，通信部４２７がネットワーク５を介して取得したプログラムメタデータＰＭを解釈して，プログラムメタデータＰＭ内の項目を個別に扱いやすいような表形式（図２参照）に変換することができる。また，メタデータ表示制御部４５は，例えば，上記のように表形式に変換したプログラムメタデータＰＭの項目を絞り込む処理を実行することもできる。さらに，メタデータ表示制御部４５は，上記のように項目が絞り込まれた表形式のプログラムメタデータＰＭを，ビューファインダー４１９に表示させる（後述する図９参照）よう制御することができる。これにより，カメラマンは，必要項目に絞り込まれた表形式のプログラムメタデータＰＭを閲覧して，撮像すべきシーン，カットの数や構成等を容易に認識することができる。
【０１５９】
なお，上記のようなテイクメタデータ作成部４２，テイク関連付け部４４およびメタデータ表示制御部４５は，上記のような処理機能を実現できるものであれば，例えば，専用装置（ハードウェア）として構成されてもよく，また，撮像装置４０に上記処理を実行させるアプリケーションプログラムをインストールして構成されてもよい。さらに，後者の場合，上記アプリケーションプログラムは，撮像装置４０に対して，ＣＤ−ＲＯＭ等の記録媒体によって提供されてもよく，また，通信部４２７を介して外部からダウンロードすることで提供されてもよい。また，当該アプリケーションプログラムは，予め，撮像装置４０内のメモリ部４１８，４３２などに格納されていてもよい。
【０１６０】
また，上記のようなテイクメタデータ作成部４２及び／又はテイク関連付け部４４は，例えば，フィールドＰＣ５０などに設けられてもよい。また，上記テイク関連付け部４４は，例えば，編集端末３０などに設けられてもよい。
【０１６１】
ここで，図９に基づいて，本実施形態にかかる撮像装置４０のビューファインダー４１９に表示されたプログラムメタデータＰＭの具体例と，カット選択操作およびＯＫ／ＮＧ選択操作について説明する。なお，図９は，本実施形態にかかる撮像装置４０のビューファインダー４１９に表示されたプログラムメタデータＰＭを例示する説明図である。
【０１６２】
図９に示すように，ビューファインダー４１９は，項目が絞り込まれたプログラムメタデータＰＭ’を表示している。この絞り込まれた項目としては，例えば，プログラムＩＤ，プログラムタイトル，取材ＩＤ，取材タイトル，シーン番号，カット番号などである。
【０１６３】
さらに，ビューファインダー４１９は，例えば，プログラムメタデータＰＭ’の取材階層，シーン階層およびカット階層に対応させて撮像カット選択部４６も表示している。この撮像カット選択部４６は，カットの中から撮像するテイクに対応するカットを選択するためのものであり，例えばタッチスクリーン方式のボタンなどで構成される。このタッチスクリーン方式のボタンは，例えば，取材選択ボタン４６２と，シーン選択ボタン４６４と，カット選択ボタン４６６等から構成されている。
【０１６４】
カメラマンは，例えば，撮像前に，これらの選択ボタン４６２，４６４，４６６を操作して，所望のカットを選択することができる（カット選択操作）。即ち，カメラマンは，表示されたプログラムメタデータＰＭ’内の，選択ボタン４６２，４６４，４６６に触れることで，例えば，これから撮像しようとするテイクを割り当てるカットを選択することができる。
【０１６５】
例えば，図９の例では，太枠で囲って示すように，取材ＩＤが「Ａ２００２−１００１」である取材が選択され，シーン番号が「１」であるシーンが選択され，カット番号が「１」であるカットが選択されている。また，図９の例では，当該カットには，例えば，テイク番号１のテイクと，テイク番号２のテイクが割り当てられている。
【０１６６】
なお，カメラマンが上記のようなカット選択操作を行わない場合には，例えば，プログラムメタデータＰＭ’内の１番目にあるカットか，或いは過去に選択されているカットが，自動的に選択される。その後は，カット選択操作を行わない限り，例えば，テイクの撮像処理を繰り返す度に，同じカットに各テイクが割り当てられ，テイク番号が自動的に増えていく。
【０１６７】
さらに，上記のようなカット選択操作は，例えば，撮像後になされてもよい。即ち，上記のように１回のテイクを撮像する前に当該テイクをカットに割り当てるのではなく，例えば，１回のテイクの撮像直後に当該テイクを所望のカットに割り当てる，或いは，複数回のテイクの撮像後にまとめて，複数のテイクをそれぞれ所望のカットに割り当ててもよい。この場合には，例えば，撮像時においては，シーン番号が「０」であり，かつ，カット番号がテイクの撮像毎に「１」から順次増加するように設定された架空のカットに対して，撮像されたテイクを順次，一時的に関連付けておいてもよい。
【０１６８】
また，ビューファインダー４１９は，例えば，ＯＫ／ＮＧ選択ボタン４８も表示している。このＯＫ／ＮＧ選択ボタン４８は，撮像したテイクのコンテンツデータが，「ＯＫ（採用すべきもの）」であるか「ＮＧ（不採用とすべきもの）」であるかを選択するためのものであり，例えばタッチスクリーン方式のボタンなどで構成される。カメラマンは，例えば，テイクの撮像後に，このＯＫ／ＮＧ選択ボタン４８を操作して，当該テイクがＯＫであるＮＧであるかを選択することができる（ＯＫ／ＮＧ選択操作）。例えば，図９の例では，テイク番号１のテイクが「ＯＫ」とされ，テイク番号２のテイクが「ＮＧ」とされている。
【０１６９】
なお，カメラマンが上記のようなＯＫ／ＮＧ選択操作を行わない場合には，例えば，テイク関連付け部４４は，当該テイクの「ＯＫ／ＮＧ」欄に自動的に「ＯＫ」と入力する，或いは当該欄を空白にしておくようにしてもよい。また，カットに割り当てられたテイクが１つだけである場合には，例えば，テイク関連付け部４４は，当該テイクを自動的に「ＯＫ」としてもよい。
【０１７０】
上記のように，ビューファインダー４１９に表示されたプログラムメタデータＰＭの具体例と，カット選択操作およびＯＫ／ＮＧ選択操作について説明した。なお，かかるカット選択操作およびＯＫ／ＮＧ選択操作は，上記のようにビューファインダー４１９上でタッチスクリーン式のボタンを用いてなされたが，かかる例に限定されず，例えば，撮像装置４０の操作部４１６に選択ボタンを設けて上記操作を行ってもよい。また，例えば，撮像装置４０またはフィールドＰＣ５０のＧＵＩ（Ｇｒａｐｈｉｃａｌ  Ｕｓｅｒ  Ｉｎｔｅｒｆａｃｅ）上で，上記操作を行ってもよい。
【０１７１】
以上，本実施形態にかかる撮像装置４０について説明した。かかる撮像装置４０の主な機能をまとめると，例えば以下の通りである。
【０１７２】
撮像装置４０は，上記プログラムメタデータＰＭに基づいて各カットの被写体を撮像する機能を有する。また，撮像装置４０は，撮像したコンテンツデータを光ディスク３等に上記テイク毎に記録する機能と，光ディスク３に記録されたコンテンツデータを再生する機能とを有する。このように，撮像装置４０は，例えば，ビデオカメラと記録再生装置とが一体となった装置である。
【０１７３】
また，撮像装置４０は，例えば，上記企画端末１０からネットワーク５などを介して上記プログラムメタデータＰＭを取得するプログラムメタデータ取得部として機能する。さらに，撮像装置４０は，例えば，取得したプログラムメタデータＰＭを解釈して，図２に示したようなデータを，ユーザが個別に扱いやすいような表形式に変換する機能を有する。また，撮像装置４０は，上記表形式に変換されたプログラムメタデータＰＭを表示部（ビューファインダー４１９など）に表示する機能を有する。
【０１７４】
さらに，撮像装置４０は，例えば，撮像したコンテンツデータに対応する上記テイクメタデータＴＭをテイク毎に自動的に作成する機能を有する。また，撮像装置４０は，上記テイク関連付け情報を生成して上記プログラムメタデータＰＭに追加するなどして，上記プログラムメタデータＰＭを編集する機能を有する。さらに，また，撮像装置４０は，上記作成したテイクメタデータＴＭおよび編集したプログラムメタデータＰＭ等からなる構成表メタデータを，光ディスク３などに記録したり，ネットワーク５を介して送信したりする機能も有する。
【０１７５】
＜４．２  フィールドＰＣ＞
次に，図１０に基づいて，本実施形態にかかるフィールドＰＣ５０について説明する。なお，図１０は，本実施形態にかかるフィールドＰＣ５０の概略的な構成を示すブロック図である。
【０１７６】
図１０に示すように，フィールドＰＣ５０は，ＣＰＵ５０２と，メモリ部５０４と，入力部５０６と，表示部５０８と，音声出力部５１０と，通信部５１２と，外部インタフェース５１４と，記録装置５１６と，ディスク装置５１８と，メタデータ表示制御部５２０と，撮像状況情報生成部５２２と，を備える。
【０１７７】
なお，フィールドＰＣ５０にかかるＣＰＵ５０２，メモリ部５０４，表示部５０８，音声出力部５１０，外部インタフェース５１４，記録装置５１６およびディスク装置５１８の機能構成は，上記企画端末１０にかかるメモリ部１０４，表示部１０８，音声出力部１１０，外部インタフェース１１４，記録装置１１６およびディスク装置１１８の機能構成と略同一であるので，その説明は省略する。
【０１７８】
入力部５０６は，マウス，キーボード，タッチパネルなどの入力装置から構成されている。取材部署の担当者は，この入力部５０６を用いて，例えば，プログラムメタデータＰＭにプログラム撮像状況情報の内容などを記入したり，テイクメタデータＴＭにテイク撮像条件情報の内容を記入したりすることができる。
【０１７９】
通信部５１２は，例えば，企画端末１０，撮像装置４０および編集端末３０などとの間でネットワーク５を介して，プログラムメタデータＰＭおよびテイクメタデータＴＭ等の構成表メタデータや，ローレゾ映像のコンテンツデータなどの各種データを通信することができる。このように通信部５１２は，本実施形態にかかるフィールドＰＣ５０が具備するプログラムメタデータ取得部として構成されている。また，この通信部５１２は，例えばＳＤＩにより上記データをネットワーク５を介して送信する場合には，ＫＬＶ符号化などの符号化処理をすることもできる。  
【０１８０】
また，ディスク装置５１８は，光ディスク３等の記録媒体に記録されているプログラムメタデータＰＭやテイクメタデータＴＭなどを読み出すことができる。このため，ディスク装置５１８は，企画端末１０または撮像装置４０等から記録媒体を介してプログラムメタデータＰＭを取得するプログラムメタデータ取得部としても機能する。  
【０１８１】
メタデータ表示制御部５２０は，例えば，企画端末１０からネットワーク５を介して取得したプログラムメタデータＰＭを解釈して，図２に示したようなデータを個別に扱いやすい表形式に変換することができる。さらに，メタデータ表示制御部５２０は，変換したプログラムメタデータＰＭを表示部５０８に表示させるよう制御することができる。これにより，取材部署の担当者は，表形式に整理されたプログラムメタデータＰＭを閲覧することができる。  
【０１８２】
また，このメタデータ表示制御部５２０は，例えば，撮像装置４０からネットワーク５を介して取得したテイクメタデータＴＭを解釈して，図５に示したような閲覧しやすい形式に変換することができる。さらに，メタデータ表示制御部５２０は，変換したテイクメタデータＴＭを表示部５０８に表示させるよう制御することができる。これにより，取材部署の担当者は，一覧表示されたテイクメタデータＴＭを閲覧することができる。
【０１８３】
撮像状況情報生成部５２２は，上記プログラム撮像状況情報をプログラムメタデータＰＭとして生成することができる。より詳細には，撮像状況情報生成部５２２は，例えば，取材部署の担当者の入力に基づいて，テキストデータなどであるプログラム撮像状況情報を生成する。さらに，撮像状況情報生成部５２２は，例えば，生成したプログラム撮像状況情報を，プログラムメタデータＰＭの該当する項目に順次書き込むことができる。具体的には，このプログラム撮像状況情報は，上記図３および図４で説明したように，例えば，取材メモ内容，シーンメモ内容，カットメモ内容などの項目に記入される。
【０１８４】
さらに，撮像状況情報生成部５２２は，上記テイク撮像状況情報をテイクメタデータＴＭとして生成することができる。より詳細には，撮像状況情報生成部５２２は，例えば，取材部署の担当者の入力に基づいて，テキストデータなどであるテイク撮像状況情報を生成する。さらに，撮像状況情報生成部５２２は，例えば，生成したテイク撮像状況情報を，該当するテイクメタデータＴＭの該当する項目に書き込むことができる。具体的には，このプログラム撮像状況情報は，上記図５で説明したように，例えば，テイクメモ内容などの項目に記入される。
【０１８５】
このように，かかる撮像状況生成部５２２は，例えば，既存のプログラムメタデータＰＭまたはテイクメタデータＴＭに対して，プログラム撮像状況情報またはテイク撮像状況情報を追加することができる。従って，かかる観点によれば，撮像状況生成部５２２は，例えば，プログラムメタデータＰＭおよびテイクメタデータＴＭを編集する取材端末用メタデータ編集部として機能するものである。
【０１８６】
上記のような撮像状況情報生成部５２２の処理により，取材部署の担当者は，例えば，取材・撮像段階で認識した撮像状況についてのメモなどを，プログラムメタデータＰＭおよびテイクメタデータＴＭに記入することができる。即ち，取材部署の担当者は，表形式に整理されたプログラムメタデータＰＭを閲覧しながら，プログラムメタデータＰＭの所望の項目にプログラム撮像状況情報を記入することができる。また，取材部署の担当者は，一覧表示されたテイクメタデータＴＭを閲覧しながら，テイクメタデータＴＭの所望の項目にテイク撮像状況情報を記入することができる。
【０１８７】
なお，上記メタデータ表示制御部５２０および制作指示情報生成部５２２は，上記のような処理機能を実現できるものであれば，例えば，専用装置（ハードウェア）として構成されてもよく，また，コンピュータ等のフィールドＰＣ５０に上記処理を実行させるアプリケーションプログラムをインストールして構成されてもよい。さらに，後者の場合，上記アプリケーションプログラムは，フィールドＰＣ５０に対して，ＣＤ−ＲＯＭ等の記録媒体によって提供されてもよく，また，通信部５１２を介して外部からダウンロードすることで提供されてもよい。また，当該アプリケーションプログラムは，予め，フィールドＰＣ５０内のメモリ部５０４または記録装置５１６，或いは外部インタフェース５１４に接続された周辺機器などに格納されていてもよい。
【０１８８】
上記のようにして編集して更新されたプログラムメタデータＰＭおよびテイクメタデータＴＭは，例えば，記録装置５１６に保存されるとともに，上記通信部５１２によって例えばネットワーク５を介して撮像装置４０などに提供される。
【０１８９】
また，上記撮像装置４０による構成表メタデータの編集・更新処理（例えば，テイク関連付け情報の生成処理）と，フィールドＰＣ５０による構成表メタデータの編集・更新処理（例えば，プログラム撮像状況情報およびテイク撮像状況情報の生成処理）とが，同時並行して行われる場合もある。従って，撮像装置４０またはフィールドＰＣ５０は，構成表メタデータの同期処理を実行可能に構成されている。この同期処理とは，撮像装置４０およびフィールドＰＣ５０が，元々同一の内容であった構成表メタデータを別々に編集加工した場合に，双方の編集加工内容を加え合わせる処理である。また，撮像装置４０およびフィールドＰＣ５０が，例えば，構成表メタデータ内の同一の項目を別々に編集加工した場合には，取材部署担当者がいずれかの編集加工内容を選択したり，或いは，自動的に双方の更新内容を併記したりすることもできる。
【０１９０】
かかる同期処理により，企画端末１０から提供された構成表メタデータが，撮像装置４０およびフィールドＰＣ５０の双方によってそれぞれ編集加工された場合であっても，撮像装置４０またはフィールドＰＣ５０は，双方による編集加工内容を一元化した構成表メタデータを編集端末３０などに出力できる。
【０１９１】
＜５．編集端末＞
次に，図１１に基づいて，本実施形態にかかる編集端末３０について説明する。なお，図１１は，本実施形態にかかる編集端末３０の概略的な構成を示すブロック図である。
【０１９２】
図１１に示すように，編集端末３０は，ＣＰＵ３０２と，メモリ部３０４と，入力部３０６と，表示部３０８と，音声出力部３１０と，通信部３１２と，外部インタフェース３１４と，記録装置３１６と，ディスク装置３１８と，表示制御部３２０と，編集端末用メタデータ編集部３３０と，コンテンツデータ編集部３４０と，を備える。
【０１９３】
なお，編集端末３０にかかるＣＰＵ３０２，メモリ部３０４，表示部３０８，音声出力部３１０，外部インタフェース３１４および記録装置３１６の機能構成は，上記企画端末１０にかかるメモリ部１０４，表示部１０８，音声出力部１１０，外部インタフェース１１４および記録装置１１６の機能構成と略同一であるので，その説明は省略する。
【０１９４】
入力部３０６は，例えば，マウス，キーボード，タッチパネルなどの一般的な入力装置（図示せず。）と，映像編集用入力装置（図示せず。）などから構成されている。この映像編集用入力装置は，例えば，Ｉｎ点を決定するＩｎ点決定ボタン，Ｏｕｔ点を決定するＯｕｔ点決定ボタン，映像再生ボタン，停止ボタンなどの各種の編集用ボタンや，映像再生速度を調整したり，再生するコンテンツデータを選択したりするためのジョグダイヤル，レバーなどを備える。編集部署の担当者は，例えば，上記映像編集用入力装置を操作して，コンテンツデータを多様に再生（早送りや巻き戻しなどを含む。）させたり，Ｉｎ点およびＯｕｔ点を決定したりできる。
【０１９５】
通信部３１２は，例えば，企画端末１０，取材端末２０などとの間でネットワーク５を介して，プログラムメタデータＰＭおよびテイクメタデータＴＭ等の構成表メタデータや，ローレゾ映像のコンテンツデータなどの各種データを通信することができる。例えば，このように通信部３１２は，本実施形態にかかる編集端末３０が具備するプログラムメタデータ取得部として構成されている。また，この通信部３１２は，例えばＳＤＩにより上記データをネットワーク５を介して送信する場合には，ＫＬＶ符号化などの符号化処理をすることもできる。上記のように，かかる通信部３１２によって受信した構成表メタデータおよびローレゾ映像のコンテンツデータなどは，例えば，記録装置３１６などに記録される。なお，かかる構成表メタデータおよびローレゾ映像のコンテンツデータなどは，例えば，ディスク装置３１８によって光ディスク３などに記録されてもよい。  
【０１９６】
ディスク装置３１８は，例えば，撮像装置４０などから提供された光ディスク３に対して記録再生可能な記録再生装置である。このディスク装置３１８は，例えば，上記図８で説明したような撮像装置４０の記録再生部４０６の構成と略同一に構成して，編集端末３０に内蔵することができる。また，かかるディスク装置３１８は，例えば，外部インタフェース３１４を介して外付けして，編集端末３０とは別体に構成された記録再生装置として構成することもできる。この場合には，例えば，かかるディスク装置３１８に，上記のようなＣＰＵ，メモリ部，編集用入力装置，通信部，コンピュータインタフェース，メタデータまたは映像表示制御部などを設けてもよい。  
【０１９７】
かかるディスク装置３１８は，例えば，光ディスク３に記録されているオリジナル映像またはローレゾ映像のコンテンツデータを再生して，表示部３０８に表示することができる。かかるコンテンツデータの再生・表示は，後述する映像表示制御部３２４によって制御される。また，ディスク装置３１８は，例えば，光ディスク３に記録されている構成表メタデータを読み出して，表示部３０８に表示することも可能である。かかる構成表メタデータの表示は，後述するメタデータ表示制御部３２２によって制御される。このように，ディスク装置３１８は，企画端末１０または取材端末２０から光ディスク３等の記録媒体を介してプログラムメタデータＰＭを取得する場合には，プログラムメタデータ取得部としても機能する。  
【０１９８】
また，ディスク装置３１８は，例えば，コンテンツデータを光ディスク３に記録することができる。例えば，ディスク装置３１８は，ネットワーク５を介して送信されてきたローレゾ映像のコンテンツデータや，後述するコンテンツデータ編集部３４０による編集処理により抽出されたコンテンツデータを，光ディスク３に記録することができる。また，ディスク装置３１８は，例えば，構成表メタデータを光ディスク３に記録することもできる。例えば，ディスク装置３１８は，ネットワーク５を介して送信されてきた構成表メタデータや，後述する編集端末用メタデータ編集部３３０による編集処理により更新された構成表メタデータなどを，光ディスク３に記録することができる。  
【０１９９】
また，ディスク装置３１８は，例えば，上記光ディスク３以外にも，フレキシブルディスク，ハードディスク，磁気ディスク，半導体メモリなどの記録媒体に対して，コンテンツデータ，構成表メタデータ，各種アプリケーションプログラムなどを読み書きできるように構成してもよい。これにより，編集端末３０は，例えば，メモリーカードなどから構成表メタデータを取得することも可能になる。  
【０２００】
表示制御部３２０は，例えば，メタデータ表示制御部３２２と，映像表示制御部３２４とから構成される。  
【０２０１】
メタデータ表示制御部３２２は，例えば，取材端末２０からネットワーク５あるいは光ディスク３を介して取得したプログラムメタデータＰＭを解釈して，図２に示したようなデータを個別に扱いやすい表形式に変換することができる。さらに，メタデータ表示制御部３２２は，変換したプログラムメタデータＰＭを表示部３０８に表示させるよう制御することができる。これにより，編集部署の担当者は，表形式に整理されたプログラムメタデータＰＭを閲覧して，編集しようとする映像プログラムのシナリオ，撮像時の状況などを把握することができる。  
【０２０２】
また，このメタデータ表示制御部３２２は，例えば，取材端末２０からネットワーク５あるいは光ディスク３を介して取得したテイクメタデータＴＭを解釈して，図５に示したような閲覧しやすい形式に変換することができる。さらに，メタデータ表示制御部３２２は，変換したテイクメタデータＴＭを表示部３０８に表示させるよう制御することができる。これにより，編集部署の担当者は，例えば，一覧表示或いは個々に表示されたテイクメタデータＴＭを閲覧して，テイクメタデータＴＭに対応するコンテンツデータの概容，撮像時の撮像条件などを把握することができる。  
【０２０３】
映像表示制御部３２４は，構成表メタデータに基づいて，コンテンツデータの再生処理を制御することができる。この再生されるコンテンツデータは，光ディスク３に記録されているオリジナル映像またはローレゾ映像であってもよいし，また，ネットワーク５を介して受信されて記録装置３１２などに記録されているローレゾ映像であってもよい。かかる映像表示制御部３２４の制御により，コンテンツデータを多様な態様で再生・表示できる。  
【０２０４】
例えば，映像表示制御部３２４は，シナリオに従った取材，シーンおよびカットなどの順に，ＯＫのテイクのコンテンツデータを順次，連続再生（連続表示）するように制御できる。  
【０２０５】
かかる連続再生処理についてより詳細に説明すると，まず，映像表示制御部３２４は，構成表メタデータのプログラムメタデータＰＭを読み出して，解釈する。  
【０２０６】
次いで，映像表示制御部３２４は，プログラムメタデータＰＭの制作指示情報に基づいて，再生する取材，シーンおよびカットの順序を決定する。この順序の決定は，例えば，取材ＩＤ，シーン番号およびカット番号などを参照することで可能となる。即ち，例えば，シーン番号が小さいシーンから順次再生することとし，さらに，同一のシーン内では，カット番号が小さいカットから順次再生するようにする。  
【０２０７】
さらに，映像表示制御部３２４は，プログラムメタデータＰＭのテイク関連付け情報に基づいて，再生するカットに対応するテイクを特定し，特定したテイクのコンテンツデータのファイル名を取得する。このテイクを特定する際，１つのカットに２以上のテイクが割り当てられている場合には，映像表示制御部３２４は，ＯＫ／ＮＧ情報を参照して，ＯＫのテイクを選択する。  
【０２０８】
その後，映像表示制御部３２４は，取得したビデオファイル名のコンテンツデータを再生するように，ディスク装置３１８に指示を出す。これにより，ディスク装置３１８は，指示されたテイクのコンテンツデータを再生する。  
【０２０９】
次いで，映像表示制御部３２４は，上記と同様にして，次に再生するカットを決定して，テイクを特定し，コンテンツデータのファイルを特定する情報（例えばファイル名，ＵＭＩＤ等）を指示する。かかる処理を繰り返すことで，シナリオの順序に従ったコンテンツデータの連続再生が可能になる。  
【０２１０】
さらに，例えば，かかる映像データの連続再生中に，上記メタデータ表示制御部３２２が機能することで，プログラムメタデータＰＭまたはテイクメタデータＴＭの全部または一部を，映像とともに表示（即ち，スーパーインポーズ）することもできる。  
【０２１１】
また，映像表示制御部３２４は，例えば，編集部署の担当者により選択された１のテイクのコンテンツデータのみを単独再生（単独表示）するようにも制御できる。  
【０２１２】
かかる単独再生処理についてより詳細に説明すると，まず，上記メタデータ表示制御部３２２がプログラムメタデータＰＭを表示部３０８に表示させる。次いで，編集部署の担当者によってプログラムメタデータＰＭ内の複数のテイクの中から所望のテイクが選択される（例えば，タッチスクリーン方式やＧＵＩ入力などで選択可能である。）と，映像表示制御部３２４は，テイク関連付け情報に基づいて，当該テイクのコンテンツデータのファイル名を取得する。さらに，映像表示制御部３２４は，取得したビデオファイル名のコンテンツデータのみを再生するように，ディスク装置３１８に指示を出す。これにより，ディスク装置３１８は，指示されたテイクのコンテンツデータのみを再生することができる。  
【０２１３】
さらに，後述するコンテンツデータの編集処理が終了し，Ｉｎ点及びＯｕｔ点情報がプログラムメタデータＰＭに入力されている場合には，映像表示制御部３２４は，かかるＩｎ点及びＯｕｔ点情報に基づいて，テイクのコンテンツデータの必要部分のみを抽出して再生表示させる処理を実行できる。映像表示制御部３２４は，例えば，かかる処理を上記連続再生処理と組み合わせることで，完成した映像プログラムを連続再生することができる。  
【０２１４】
上記のように，表示制御部３２０は，構成表メタデータに基づいて，多様な表示制御処理を実行できる。これにより，映像編集前においては，編集部署の担当者は，所望するコンテンツデータを，所望の態様で迅速に閲覧できる。さらに，編集部署の担当者は，シナリオに従った順序で連続再生されたコンテンツデータを閲覧することにより，編集しようとする映像プログラムの全体構成やイメージを把握できる。このため，編集処理の効率化を図ることができる。また，編集処理後においては，編集部署の担当者は，連続再生されたコンテンツデータを閲覧することにより，完成した映像プログラムの内容を容易に確認できる。  
【０２１５】
編集端末用メタデータ編集部３３０は，例えば，プログラムメタデータＰＭおよびテイクメタデータＴＭなどを編集することができる。この編集端末用メタデータ編集部３３０は，テイク関連付け部３３２と，テイク関連付け情報編集部３３４とを備える。  
【０２１６】
テイク関連付け部３３２は，例えば，上記撮像装置４０のテイク関連付け部４４と略同一の機能構成を有するので，詳細な説明は省略する。このテイク関連付け部３３２は，編集担当者が編集端末３０を用いてカットとテイクを関連付け場合に機能する。なお，このテイク関連付け部３３２は，例えば，上記撮像装置４０がテイク関連付け部４４を具備する場合には，必ずしも具備されなくともよい。  
【０２１７】
一方，例えば，上記撮像装置４０がテイク関連付け部４４を具備しない場合，即ち，プログラムメタデータＰＭのカットと撮像されたテイクとがまだ関連付けられていない場合には，テイク関連付け部３３２は，例えば，編集段階において上記テイク関連付け情報を生成して，テイクとカットを関連付けることができる。このとき，各テイクをどのカットに関連付けるかの判断は，例えば，取材部署のカメラマンからネットワーク５を介して取得した情報などに基づいて判断してもよい。或いは，編集部署の担当者が，当該テイクのテイクメタデータＴＭを参照したり，当該テイクのコンテンツデータを再生したりすることなどによって，上記判断を行ってもよい。  
【０２１８】
また，例えば，上記撮像装置４０がテイク関連付け部４４を具備しており，撮像段階でカットとテイクは関連付けられてはいるが，例えば，ＯＫ／ＮＧ情報だけが入力されていない場合もあり得る。即ち，取材部署の担当者が，いずれのテイクを採用するかを，編集部署に委ねた場合などである。かかる場合には，編集部署の担当者は，当該カットに関連付けられた複数のテイクのコンテンツデータを順次再生して，いずれのテイクを採用するかを選択し，選択結果を入力部３０６により入力する。次いで，テイク関連付け部３３２は，例えば，編集部署の担当者の入力に基づいて，「ＯＫ」または「ＮＧ」情報を生成し，プログラムメタデータＰＭの該当する項目に記入する。  
【０２１９】
テイク関連付け情報編
集部３３４は，コンテンツデータの編集結果に基づいて，プログラムメタデータＰＭ内のテイク関連付け情報を編集する機能を有する。即ち，このテイク関連付け情報編集部３３４は，例えば，編集部署の担当者の粗編集結果に基づいて上記Ｉｎ点情報およびＯｕｔ点情報を生成し，かかる上記Ｉｎ点情報およびＯｕｔ点情報をプログラムメタデータＰＭに記録することができる。  
【０２２０】
ここで，粗編集処理の概容について説明した上で，上記テイク関連付け情報編集部３３４の機能についてより詳細に説明する。  
【０２２１】
一般に，テイクのコンテンツデータは，例えば，シナリオで定められているカットの時間長よりも，長くなるように撮像処理されている。従って，テイクのコンテンツデータから，カットに相当する時間長分のコンテンツデータを抽出する粗編集処理を行う必要がある。かかる粗編集処理を行うときには，まず，編集部署の担当者は，例えば，粗編集しようとするカットに関連付けられているテイクのコンテンツデータを再生して，閲覧する。なお，かかるコンテンツデータの再生は，上記のように表示制御部３２０によって好適に行われるので，編集部署の担当者は，迅速かつ容易に粗編集作業を行うことができる。  
【０２２２】
次いで，編集部署の担当者はかかるコンテンツデータの中から必要な部分を抽出する。この抽出作業は，例えば，編集部署の担当者が再生映像を閲覧しながら，所望のフレームの静止画を選択して上記Ｉｎ点決定ボタンまたはＯｕｔ点決定ボタンを押下して，Ｉｎ点およびＯｕｔ点を決定することにより行われる。  
【０２２３】
テイク関連付け情報編集部３３４は，例えば，編集部署の担当者によってＩｎ点およびＯｕｔ点として選択されたフレームのタイムコードをそれぞれ抽出する。これにより，テイク関連付け情報編集部３３４は，Ｉｎ点情報およびＯｕｔ点情報を生成することができる。さらに，テイク関連付け情報編集部３３４は，例えば，このようにして生成した上記Ｉｎ点情報およびＯｕｔ点情報をプログラムメタデータＰＭの「Ｉｎ点」および「Ｏｕｔ点」の項目に入力する。これにより，例えば，テイク関連付け情報が完成し，カットに関連付けられたテイクのコンテンツデータの有効範囲が特定されたこととなる。  
【０２２４】
また，以上のような粗編集処理，およびＩｎ点・Ｏｕｔ点情報の生成処理は，例えば，ローレゾ映像を用いることで迅速に行うことができる。即ち，本実施形態では，編集端末３０は，例えば，取材端末２０からネットワーク５を介して構成表メタデータおよびローレゾ映像を取得することができる。従って，編集部署担当者は，例えば，オリジナル映像が記録された光ディスク３が取材先から搬送されてきていなくても，撮像作業と同時並行或いはその直後など比較的早い段階で，粗編集作業に取りかかることができる。よって，映像プログラムの制作効率が向上する。  
【０２２５】
コンテンツデータ編集部３４０は，例えば，構成表メタデータに基づいてコンテンツデータを編集する機能を有する。即ち，かかるコンテンツデータ編集部３４０は，例えば，非破壊編集によって，映像プログラムを構成する全カットに対応するテイクのコンテンツデータの必要部分を抽出し，映像プログラムを構成するコンテンツデータを完成させることができる。  
【０２２６】
より詳細には，コンテンツデータ編集部３４０は，まず，プログラムメタデータＰＭを読み出して，解釈する。次いで，コンテンツデータ編集部３４０は，プログラムメタデータＰＭの制作指示情報に基づいて，例えばシナリオの最初のカットを特定する。さらに，コンテンツデータ編集部３４０は，プログラムメタデータＰＭのテイク関連付け情報に基づいて，当該カットに対応する「ＯＫ」のテイクを特定する。その後，コンテンツデータ編集部３４０は，特定したテイクに関するコンテンツデータのＩｎ点情報およびＯｕｔ点情報をテイク関連付け情報から取得する。次いで，コンテンツデータ編集部３４０は，ディスク装置３１８を用いて当該テイクのコンテンツデータを読み出し，上記Ｉｎ点情報およびＯｕｔ点情報に基づいて当該コンテンツデータの有効映像部分を抽出する。さらに，以上と同様な処理を，映像プログラムを構成する複数のカットについてシナリオ順に行うことにより，必要なコンテンツデータを順次抽出する。このようにして，コンテンツデータ編集部３４０は，シナリオに従った映像プログラムのコンテンツデータを完成させることができる。  
【０２２７】
なお，上記では，コンテンツデータ編集部３４０による非破壊編集の例について説明したが，かかる例に限定されない。コンテンツデータ編集部３４０は，例えば，各カットに対応するテイクのコンテンツデータをＩｎ点情報およびＯｕｔ点情報に基づいて切り出し，これらのコンテンツデータを繋ぎ合わせて，新たな記録媒体に記録するといった編集処理を行ってもよい。また，コンテンツデータ編集部３４０は，例えば，ＥＤＬ（Ｅｄｉｔ  Ｄｉｃｉｓｉｏｎ  Ｌｉｓｔ）を作成するのみで編集処理を終えてもよい。なお，このＥＤＬは，テイクのコンテンツデータのファイル名，ＵＭＩＤ，Ｉｎ点情報，Ｏｕｔ点情報などの編集作業に必要な情報を含む一覧表である。
【０２２８】
また，コンテンツデータ編集部３４０は，例えば，コンテンツデータの画質調整処理（例えば，輝度または色合い調整処理，シャープネス・アンシャープネス補正処理，映像又は音声のノイズ低減・除去処理，映像のぶれ補正処理など）を，自動的にまたは手動で実行可能な機能を備えてもよい。また，コンテンツデータ編集部３４０は，コンテンツデータ内の異常映像部分（例えば，過度のノイズを含む部分，輝度または色合いが異常な部分など）を自動的にまたは手動で削除する機能を備えてもよい。また，コンテンツデータ編集部３４０は，例えば，字幕データ，ＣＧ画像データ等をコンテンツデータに重畳する機能（スーパーインポーズ機能など）や，コンテンツデータ同士を合成する機能，コンテンツデータをフェードイン・アウトさせる機能などを備えてもよい。上記のようなのコンテンツデータ編集部３４０の機能は，例えば，コンテンツデータの本編集処理において有用である。
【０２２９】
なお，上記のような表示制御部３２０，編集装置用メタデータ編集部３３０およびコンテンツデータ編集部３４０は，上記のような処理機能を実現できるものであれば，例えば，専用装置（ハードウェア）として構成されてもよく，また，コンピュータ等の編集端末３０に上記処理を実行させるアプリケーションプログラムをインストールして構成されてもよい。さらに，後者の場合，上記アプリケーションプログラムは，編集端末３０に対して，ＣＤ−ＲＯＭ等の記録媒体によって提供されてもよく，また，通信部３１２を介して外部からダウンロードすることで提供されてもよい。また，当該アプリケーションプログラムは，予め，編集端末３０内のメモリ部３０４または記録装置３１６，或いは外部インタフェース３１４に接続された周辺機器などに格納されていてもよい。
【０２３０】
以上，編集端末３０の各部について詳細に説明した。上記のような編集端末３０は，構成表メタデータに基づいて，必要なコンテンツデータを好適に再生表示することができる。これにより，編集部署の担当者は，例えば，Ｉｎ点およびｏｕｔ点を効率的に決定できる。また，この編集端末３０は，Ｉｎ点およびｏｕｔ点情報を生成して，プログラムメタデータＰＭを完成させることもできる。さらに，この編集端末３０は，構成表メタデータに基づいてコンテンツデータを編集し，映像プログラムを完成させることもできる。
【０２３１】
＜６．映像プログラム制作支援方法＞
次に，図１２〜図２０に基づいて，上記のような構成の映像プログラム制作支援システム１を用いた映像プログラム制作支援方法について説明する。なお，図１２は，本実施形態にかかる映像プログラム制作支援方法の制作フローを示すフローチャートである。また，図１３は，本実施形態にかかる映像プログラム制作支援方法における撮像フローを詳細に示すフローチャートである。また，図１４は，本実施形態にかかる映像プログラム制作支援方法における編集フローを詳細に示すフローチャートである。また，図１５〜図２０は，本実施形態にかかる映像プログラム制作支援方法の制作フローの各工程における構成表メタデータの構成を例示する説明図である。
【０２３２】
図１２に示すように，まず，ステップＳ１０では，企画端末１０のプログラムメタデータ作成部１２０が，プログラムメタデータＰＭを新規に作成する（ステップＳ１０：プログラムメタデータ作成工程）。詳細には，まず，企画構成部署の担当者が，新規な映像プログラムを企画・構成して，当該映像プログラムのシナリオ（筋書）を電子ファイル形式で作成することを所望する。次いで，企画構成部署の担当者は，例えば，入力部１０６を操作して，企画端末１０に対して新規な構成表メタデータの作成を指示する。すると，プログラムメタデータ作成部１２０は，例えば，企画された新しい映像プログラムに対応する１つのプログラムメタデータＰＭを，電子ファイル形式で新規作成する。このプログラムメタデータＰＭは，例えば，構成表メタデータの枠組みだけが自動的に作成されたものである。次いで，メタデータ表示制御部１２２は，作成されたプログラムメタデータＰＭの枠組みを，表示部１０８に表示させる。なお，この新規作成されたプログラムメタデータＰＭは，例えば，新たなファイル名が付されて，自動的に記録装置１１６などに自動的に保存されてもよい。
【０２３３】
次いで，ステップＳ２０では，企画端末１０の制作指示情報生成部１２４が，制作指示情報を生成する（ステップＳ２０：制作指示情報生成工程）。詳細には，まず，企画構成部署の担当者が，上記表示されたプログラムメタデータＰＭの枠組みを閲覧しながら，入力部１０６を操作して，プログラムメタデータＰＭの項目毎にシナリオに対応した制作指示内容を入力する。制作指示情報生成部１２４は，かかる企画構成部署の担当者の入力に基づいて，テキストデータなどである制作指示情報を項目毎に生成するとともに，生成した制作指示情報を当該項目毎に順次書き込む。
【０２３４】
このように，プログラムメタデータＰＭに制作指示情報が入力された段階における構成表メタデータの例を，図１５に示す。図１５に示すように，プログラムメタデータＰＭ内には，制作指示情報が，例えば，プログラム識別階層の各項目，並びに，取材指示，シーン指示およびカット指示の欄における各項目に，区分されて記入されている。かかるプログラムメタデータＰＭを閲覧することにより，各部署の担当者は，映像プログラムの全体構成を容易に把握できる。なお，かかる段階では，例えば，テイクメタデータＴＭは，まだ作成されていない。
【０２３５】
さらに，ステップＳ３０では，企画端末１０が構成表メタデータを例えば送信する。（ステップＳ３０）。詳細には，企画端末１０の通信部１１２は，上記のようにして制作指示情報が記入されたプログラムメタデータＰＭを，例えば，ネットワーク５を介して取材端末２０などに送信する。これにより，企画端末１０は，少なくとも当該プログラムメタデータＰＭを含む構成表メタデータを取材端末２０などに提供できる。また，企画端末１０は，例えば，送信したプログラムメタデータＰＭを記録装置１１６などに保存する。なお，上記のような構成表メタデータの提供は，例えば，光ディスク３やメモリーカード等の記録媒体を介して実行することもできる。
【０２３６】
以上までのステップＳ１０〜Ｓ３０が，企画構成部署が企画端末１０を用いて映像プログラムを企画して，制作指示を行う段階である企画構成段階に相当する。
【０２３７】
その後，ステップＳ４０では，取材端末２０が，構成表メタデータを取得する（ステップＳ４０）。詳細には，撮像装置４０およびフィールドＰＣ５０は，例えば，上記ステップＳ３０で送信されたプログラムメタデータＰＭを，通信部４２７，５１２によって受信して，メモリ部４３２または記録装置５１６などに記録する。このようにして，撮像装置４０およびフィールドＰＣ５０は，プログラムメタデータＰＭを取得する。この結果，企画構成部署から取材部署に対して，映像プログラムの制作指示が行われたことになる。なお，撮像装置４０およびフィールドＰＣ５０は，例えば，光ディスク３やメモリーカード等の記録媒体を介して構成表メタデータを取得することもできる。
【０２３８】
次いで，ステップＳ５０では，取材端末２０は，構成表メタデータに基づいて撮像を行う（ステップＳ５０：撮像工程）。以下に，図１３に基づいて，かかる撮像工程Ｓ５０について詳細に説明する。なお，以下では，例えば，図１５に示したようなプログラムメタデータＰＭによる撮像指示に従って，シナリオ通りのカット順で撮像するフローについて説明するが，撮像するカットの順序はかかる例に限定されるものではない。
【０２３９】
図１３に示すように，まず，ステップＳ５０２では，プログラムメタデータＰＭの取材の中から，撮像される取材が，選択される（ステップＳ５０２）。撮像装置４０は，例えば，図９に示したように，企画端末から取得したプログラムメタデータＰＭの項目を絞り込んで，ビューファインダー４１９に表示することができる。これにより，カメラマンは，表形式のプログラムメタデータＰＭを閲覧して，撮像すべき取材，シーン，カットの数や構成等を容易に認識できる。さらに，カメラマンは，例えば，図９に示す取材選択ボタン４６２を操作して，表示されたプログラムメタデータＰＭ内の少なくとも１つの取材（取材指示）の中から，これから撮像しようとする取材を１つ選択する。例えば，図９の例では，太枠で囲って示すように，取材ＩＤが「Ａ２００２−１００１」である取材が選択されている。
【０２４０】
次いで，ステップＳ５０４では，プログラムメタデータＰＭのシーンの中から，撮像されるシーンが，選択される（ステップＳ５０４）。カメラマンは，例えば，図９に示すシーン選択ボタン４６４を操作して，上記ステップＳ５０２で選択された取材内に属する少なくとも１つのシーン（シーン指示）の中から，これから撮像しようとするシーンを１つ選択する。例えば，図９の例では，太枠で囲って示すように，シーン番号が「１」であるシーン（以下では，シーン１という。他の番号についても同様とする。）が選択されている。
【０２４１】
さらに，ステップＳ５０６では，プログラムメタデータＰＭのカットの中から，撮像されるカットが，選択される（ステップＳ５０６）。カメラマンは，例えば，図９に示すカット選択ボタン４６６を操作して，上記ステップＳ５０４で選択されたシーンに属する少なくとも１つのカット（カット指示）の中から，これから撮像しようとするカットを１つ選択する。例えば，図９の例では，太枠で囲って示すように，カット番号が「１」であるカット（以下では，カット１という。他の番号についても同様とする。）が選択されており，以下では，まず「店の中」なるカットに関する撮像処理が実行される。
【０２４２】
また，以上までのステップＳ５０２〜Ｓ５０６によって選択された１のカットに対して，次のステップＳ５０８で撮像処理がなされる１のテイクが割り当てられることとなる。
【０２４３】
その後，ステップＳ５０８では，１のテイクの撮像処理が実行される（ステップＳ５０８）。撮像装置４０は，カメラマンの撮像開始操作に基づいて，被写体の撮像を開始して，得られたコンテンツデータを光ディスク３などに記録し始める。次いで，撮像装置４０は，カメラマンからの指示があるまでは，撮像処理と記録処理を継続する。さらに，撮像装置４０は，カメラマンの撮像終了操作に基づいて，被写体の撮像を終了するとともに，コンテンツデータの記録を停止する。このような，１回の記録開始から終了までの連続した撮像処理がテイクであり，かかるテイクのコンテンツデータは，切れ目のない連続した映像・音声データとなる。なお，かかる撮像処理では，例えば，オリジナル映像とローレゾ映像の双方を記録することができる。
【０２４４】
次いで，ステップＳ５１０では，テイクメタデータＴＭが作成される（ステップＳ５１０：テイクメタデータ作成工程）。撮像装置４０のテイクメタデータ作成部４２は，上記ステップＳ５０８で撮像処理が成された１のテイクに関するテイクメタデータＴＭを新規に作成する。さらに，テイクメタデータ作成部４２は，作成されたテイクメタデータＴＭのコンテンツとして，例えば，当該テイクに関する撮像条件等の情報であるテイク撮像条件情報を生成し，テイクメタデータＴＭの各項目に入力する。
【０２４５】
さらに，ステップＳ５１２では，テイク関連付け情報が生成される（ステップＳ５１２：テイク関連付け情報生成工程）。撮像装置４０のテイク関連付け部４４は，上記ステップＳ５０６で選択されたカットに対して，上記ステップＳ５０８で撮像処理が成された１のテイクを関連付ける内容の上記テイク関連付け情報を生成する。さらに，テイク関連付け部４４は，生成したテイク関連付け情報，プログラムメタデータＰＭのカット階層の該当する欄に記入する。これにより，当該カットに対して，当該テイクのコンテンツデータおよびテイクメタデータＴＭなどが割り当てられる。
【０２４６】
ここで，図１６に基づいて，上記ステップＳ５１２でプログラムメタデータＰＭにテイク関連付け情報が入力された段階における構成表メタデータの例について説明する。
【０２４７】
図１６に示すように，上記１のテイクに対応するテイクメタデータＴＭ１が作成されている。また，プログラムメタデータＰＭ内には，カット１に対応する欄に，当該テイクに関するテイク関連付け情報が記入されている。なお，かかる段階では，プログラムメタデータＰＭにおいて，例えば，テイク関連付け情報のうちＯＫ／ＮＧ情報のみが入力されておらず，また，カットメモ等のプログラム撮像状況情報も記入されていない。
【０２４８】
その後，ステップＳ５１４では，テイクメタデータＴＭにテイクメモが入力される（ステップＳ５１４）。フィールドＰＣ５０の撮像状況情報生成部５２２は，例えば，取材部署の担当者の入力に基づいて，上記ステップＳ５０８で撮像処理が成されたテイクに関する上記テイク撮像状況情報を生成する。さらに，撮像状況情報生成部５２２は，例えば，生成したテイク撮像状況情報を，上記ステップＳ５１０で作成されたテイクメタデータＴＭの「テイクメモ内容」の項目に入力する。これにより，テイクメタデータＴＭのコンテンツは，例えば図５に示したように，例えば，テイク撮像条件情報のみならず，テイク撮像状況情報もが入力された状態となる。なお，かかるテイクメモの入力は，必ずしも実行されなくともよい。
【０２４９】
次いで，ステップＳ５１６では，選択されているカットについての撮像を終了するか否かが判断される（ステップＳ５１６）。撮像処理では，同一のカットに関するテイクの撮像処理を複数回行う場合がある。具体的には，例えば，ある場面の撮像を行った（１回目のテイク）が好適に撮像できなかったため，同一の場面をもう一度撮像する（２回目のテイク）場合や，安全のため略同一の場面を複数回撮像する場合，などである。本ステップでは，カメラマンなどにより，上記ステップＳ５０６で選択されたカットに関して，さらにテイクの撮像処理を行うか否かが判断される。この結果，さらなるテイクの撮像処理は不要であり，当該カットについての撮像を終了すると判断された場合には，ステップＳ５１８に進む。
【０２５０】
一方，さらなるテイクの撮像処理が必要であり，当該カットについての撮像を終了しないと判断された場合には，ステップＳ５０８に戻り，同一のカットについて再度，テイクの撮像処理を行う。これにより，再度のテイクに関しても，上記のように，テイクメタデータＴＭが作成されるとともに，テイク関連付け情報が生成されてプログラムメタデータＰＭに記入される。
【０２５１】
さらに，ステップＳ５１８では，上記ステップＳ５０６で選択されたカットに関して，ＯＫ／ＮＧ情報が設定される（ステップＳ５１８）。上記ステップＳ５０６で選択されたカットに関して，例えば，１のテイクしか関連付けられていない場合には，テイク関連付け部４４は，例えば，このテイクをＯＫ（採用）とするように自動的に設定する。即ち，テイク関連付け部４４は，ＯＫ情報を生成して，プログラムメタデータＰＭのカット階層における当該テイクの欄にＯＫ情報を入力する。
【０２５２】
一方，当該カットに関して，例えば，複数のテイクが関連付けられている場合には，テイク関連付け部４４は，上記カメラマンのＯＫ／ＮＧ選択操作に基づいて，例えば，１のテイクをＯＫとし，その他のテイクをＮＧ（不採用）とするように設定する。より詳細には，カメラマンは，例えば，図９に示したようなＯＫ／ＮＧ選択ボタン４８を操作して，各テイクがＯＫであるＮＧであるかを選択することができる。この結果，テイク関連付け部４４は，ＯＫと選択された例えば１のテイクに関しては，プログラムメタデータＰＭの当該テイクの欄にＯＫ情報を入力し，一方，ＮＧと選択された例えば少なくとも１つのテイクに関しては，プログラムメタデータＰＭの当該テイクの欄にＮＧ情報を入力する。
【０２５３】
その後，ステップＳ５２０では，プログラムメタデータＰＭにカットメモが入力される（ステップＳ５２０：撮像状況情報生成工程）。フィールドＰＣ５０の撮像状況情報生成部５２２は，例えば，取材部署の担当者の入力に基づいて，上記ステップＳ５１６で撮像を終了すると判断されたカットに関する上記プログラム撮像状況情報を生成する。さらに，撮像状況情報生成部５２２は，例えば，生成したプログラム撮像状況情報を，プログラムメタデータＰＭの「カットメモ内容」の項目に入力する。なお，かかるカットメモの入力は，必ずしも実行されなくともよい。
【０２５４】
ここで，図１７に基づいて，上記ステップＳ５２０でプログラムメタデータＰＭにカットメモが入力された段階における構成表メタデータの例について説明する。なお，上記ステップＳ５０６で選択された最初のカットに関して，例えば２回のテイクの撮像処理が実行されたものとする。
【０２５５】
図１７に示すように，例えば２回のテイクの撮像処理が行われたため，２つのテイクメタデータＴＭ１，ＴＭ２が作成されている。また，プログラムメタデータＰＭ内においては，例えば１つのカット１に関して，テイク番号が「１」，「２」である２つのテイクが関連付けられている。さらに，ＯＫ／ＮＧ情報が追加記入されており，例えば，テイク番号「１」のテイク（以下では，テイク１という。他の番号についても同様とする）が「ＯＫ」に設定され，一方，テイク２が「ＮＧ」に設定されている。また，カット１のカットメモの欄には，例えば，当該カットに関するプログラム撮像状況情報として，「２回撮像した」というカットレベルの内容が記入されている。
【０２５６】
次いで，ステップＳ５２２では，選択されているシーンについての撮像を終了するか否かが判断される（ステップＳ５２２）。本ステップでは，カメラマンなどにより，上記ステップＳ５０４で選択されたシーンに属する全てのカットについて，撮像処理が終了したか否かが判断される。この結果，当該シーンに属する全てのカットについての撮像が終了したと判断された場合には，ステップＳ５２４に進む。一方，当該シーンに属する全てのカットについての撮像が終了していない（例えば，取り残したカットがある）と判断された場合には，ステップＳ５０６に戻る。後者の場合には，新たに別のカットが選択され，上記と同様にして，この新たなカットについての撮像処理が実行される。
【０２５７】
例えば，図１７に示した段階では，シーン１に属するカットのうち，カット１についての撮像は完了しているものの，カット２についての撮像は終了していない。従って，ステップＳ５０６に戻り，カット２が選択され，「店の入り口」のカットについての撮像処理が行われることとなる。
【０２５８】
さらに，ステップＳ５２４では，プログラムメタデータＰＭにシーンメモが入力される（ステップＳ５２４：撮像状況情報生成工程）。あるシーンに属する全てのカットについての撮像処理が終了すると，例えば，取材部署の担当者は，当該シーンについてのシーンメモをフィールドＰＣ５０に入力する。すると，フィールドＰＣ５０の撮像状況情報生成部５２２は，かかる取材部署の担当者の入力に基づいて，当該シーンに関する上記プログラム撮像状況情報を生成する。さらに，撮像状況情報生成部５２２は，例えば，生成したシーンレベルでのプログラム撮像状況情報を，プログラムメタデータＰＭの「シーンメモ内容」の項目に入力する。なお，かかるシーンメモの入力は，必ずしも実行されなくともよい。
【０２５９】
ここで，図１８に基づいて，上記ステップＳ５２４でプログラムメタデータＰＭにシーンメモが入力された段階における構成表メタデータの例について説明する。
【０２６０】
図１８に示すように，シーン１に属する全てのカット（即ち，カット１およびカット２）についての撮像処理が終了しており，合計で例えば３回のテイクの撮像処理が行われている。このため，例えば３つのテイクメタデータＴＭ１〜ＴＭ３が作成されている。また，カット２に関しては，例えば１回のテイク（即ち，テイク３）の撮像処理しか行われておらず，このため，当該テイクが，例えば自動的にＯＫに設定されている。また，シーン１のシーンメモの欄には，例えば，当該シーンに関するプログラム撮像状況情報として，「繁華街にある。店の背後には名古屋城が見える。」というシーンレベルの風景に関する内容が記入されている。
【０２６１】
その後，ステップＳ５２６では，選択されている取材についての撮像を終了するか否かが判断される（ステップＳ５２６）。本ステップでは，カメラマンなどにより，上記ステップＳ５０２で選択された取材に属する全てのシーンについて，撮像処理が終了したか否かが判断される。この結果，当該取材に属する全てのシーンについての撮像が終了したと判断された場合には，ステップＳ５２８に進む。一方，当該取材に属する全てのシーンについての撮像が終了していないと判断された場合には，ステップＳ５０４に戻る。後者の場合には，新たに別のシーンが選択される。その後，上記と同様にして，当該新たなシーンに属する全てのカットについての撮像処理が実行される。
【０２６２】
例えば，図１８に示した段階では，取材ＩＤ「Ａ２００２−１００１」に属するシーンのうち，シーン１についての撮像は完了しているものの，シーン２についての撮像は終了していない。従って，ステップＳ５０４に戻り，シーン２が選択され，「店の中」なるシーン２に属する「主人に麺つゆの色を尋ねる」なるカット１についての撮像処理が行われることとなる。
【０２６３】
次いで，ステップＳ５２８では，プログラムメタデータＰＭに取材メモが入力される（ステップＳ５２８：撮像状況情報生成工程）。ある取材に属する全てのシーンについての撮像処理が終了すると，例えば，取材部署の担当者は，当該取材についての取材メモをフィールドＰＣ５０に入力する。すると，フィールドＰＣ５０の撮像状況情報生成部５２２は，かかる取材部署の担当者の入力に基づいて，当該取材に関する上記プログラム撮像状況情報を生成する。さらに，撮像状況情報生成部５２２は，例えば，生成した取材レベルでのプログラム撮像状況情報を，プログラムメタデータＰＭの「取材メモ内容」の項目に入力する。なお，かかる取材メモの入力は，必ずしも実行されなくともよい。
【０２６４】
ここで，図１９に基づいて，上記ステップＳ５２８でプログラムメタデータＰＭに取材メモが入力された段階における構成表メタデータの例について説明する。
【０２６５】
図１９に示すように，取材ＩＤ「Ａ２００２−１００１」の取材に属する全てのシーン（即ち，シーン１およびシーン２）についての撮像処理が終了しており，合計で例えば６回のテイクの撮像処理が行われている。このため，例えば６つのテイクメタデータＴＭ１〜ＴＭ６が作成されている。また，取材ＩＤ「Ａ２００２−１００１」の取材の取材メモの欄には，例えば，当該取材に関するプログラム撮像状況情報として，「名古屋は、赤味噌仕立ての店も多い。今回対象外だが紹介した方がよいかも。」という取材レベルの提案内容が記入されている。
【０２６６】
さらに，ステップＳ５３０では，撮像・取材を終了するか否かが判断される（ステップＳ５３０）。本ステップでは，カメラマンなどにより，映像プログラムに関する全ての取材が終了したか否かが判断される。この結果，当該映像プログラムに関する全ての取材が終了していないと判断された場合には，ステップＳ５４０に進み，取材場所が変更される。次いで，ステップＳ５０２に戻り，新たに別の取材が選択され，上記と同様にして，当該新たな取材に属する全てのカットについての撮像処理が実行される。一方，当該映像プログラムに関する全ての取材が終了したと判断された場合には，撮像工程のすべてが終了するので，図１２のステップＳ６０に進む。
【０２６７】
ここで，図２０に基づいて，上記ステップＳ５３０で撮像工程の全てが終了した段階における構成表メタデータの例について説明する。
【０２６８】
図２０に示すように，プログラムＩＤ「Ａ２００２−１０」の映像プログラムに属する全てのカットについての撮像処理が終了しており，合計で例えば１５回のテイクの撮像処理が行われている。このため，当該映像プログラムの撮像では，テイク毎の映像素材として，例えば１５つのテイクのコンテンツデータ（ファイル名が，ＶＩＤＥＯ−１〜１５）が記録され，例えば１５つのテイクメタデータＴＭ１〜１５が作成されている。かかるテイクのコンテンツデータおよびテイクメタデータＴＭ１〜１５は，例えば，１３つのカットのいずれかに関連付けられている。このうち，テイク２およびテイク８は，ＮＧ情報が付されており，不採用とされている。また，プログラムメタデータＰＭの取材，シーン，カットのメモ欄には，当該映像プログラムにおける各種の撮像状況上布が階層別に記入されているので，閲覧者は，映像プログラムの撮像状況を全体的かつ部分的に認識することができる。なお，かかるプログラムメタデータＰＭでは，テイク関連付け情報の「テイクデータ」の欄には，例えば，テイク番号のみが記入されており，まだＩｎ点およびＯｕｔ点情報は記入されていない。
【０２６９】
上記のような撮像工程の後，再び図１２を参照すると，ステップＳ６０では，取材端末２０が，例えば，ローレゾ映像および構成表メタデータを送信する（ステップＳ６０）。詳細には，撮像装置４０の通信部４２７またはフィールドＰＣ５０の通信部５１４は，例えば，上記撮像工程で記録されたコンテンツデータのうちのローレゾ映像を，ネットワーク５を介して編集端末３０などに送信する。かかるローレゾ映像の送信は，例えば，上記撮像工程と同時並行してテイクごとに行ってもよいし，例えばカット，シーン，取材または映像プログラム全体に関する撮像処理の終了した時点で複数のテイク分を一括して行ってもよい。なお，通信部４２７，５１４は，ローレゾ映像を送信する代わりに，例えば，通信可能であればオリジナル映像を送信してもよい。
【０２７０】
さらに，上記通信部４２７または通信部５１４は，例えば，構成表メタデータの同期処理を行った上で，かかる構成表メタデータを，ネットワーク５を介して編集端末３０などに送信する。
【０２７１】
また，取材端末２０は，例えば，オリジナル映像などを記録した光ディスク３を取材端末３０に搬送する。
【０２７２】
以上までのステップＳ４０〜Ｓ６０が，取材部署が取材端末２０を用いて映像プログラムのコンテンツを撮像・取材する工程である取材段階に相当する。
【０２７３】
その後，ステップＳ７０では，編集端末３０が，ローレゾ映像および構成表メタデータを取得する（ステップＳ７０）。詳細には，編集端末３０は，例えば，上記ステップＳ６０で送信されたローレゾ映像および構成表メタデータを，通信部３１２によって受信して，記録装置３１６などに記録する。このようにして，編集端末３０は，例えば，取材端末２０によって記録されたローレゾ映像と，編集された構成表メタデータを取得する。また，編集端末３０は，例えば，取材端末２０によって記録されたオリジナル映像を，光ディスク３を介して取得する。なお，編集端末３０は，例えば，光ディスク３やメモリーカード等の記録媒体を介して，上記編集された構成表メタデータを取得することもできる。
【０２７４】
次いで，ステップＳ８０では，編集端末３０は，構成表メタデータに基づいてコンテンツデータの編集を行う（ステップＳ８０：コンテンツデータ編集工程）。以下に，図１４に基づいて，かかるコンテンツデータ編集工程について詳細に説明する。
【０２７５】
図１４に示すように，まず，ステップＳ８０２では，構成表メタデータまたはコンテンツデータが表示される（ステップＳ８０２：コンテンツデータ表示工程）。編集端末３０のメタデータ表示制御部３２２は，例えば，取材端末２０から取得したプログラムメタデータＰＭまたはテイクメタデータＴＭを見やすい形式に変換した上で，表示部３０８に表示させるよう制御することができる。
【０２７６】
これにより，編集部署の担当者は，プログラムメタデータＰＭを閲覧することによって，映像プログラム全体を見渡すことができる。このため，編集部署担当者は，編集作業の指示内容や概容を的確に把握できる。また，編集部署の担当者は，テイクメタデータＴＭを閲覧することによって，個々の映像素材に関する情報をシナリオとは独立して把握することができる。このため，編集部署の担当者は，必要に応じて，詳細な映像素材の情報などを迅速に取得できる。従って，後工程で行われるコンテンツデータの編集作業の効率化を図ることができる。
【０２７７】
また，映像表示制御部３２４は，構成表メタデータに基づいて，例えば，ローレゾ映像を多様な態様で再生・表示させる。例えば，上記説明したように，映像プログラムのシナリオに従ったカット順に複数のテイクのローレゾ映像などを連続表示させる，或いは，編集部署の担当者により選択された１のテイクのローレゾ映像などを単独表示させることができる。また，例えば，コンテンツデータに構成表メタデータを重畳させて表示させることもできる。
【０２７８】
これにより，編集部署の担当者は，例えば，連続表示されたコンテンツデータを閲覧することにより，編集しようとする映像プログラムの全体のイメージ効率的に把握できる。また，編集部署の担当者は，例えば，所望する１のテイクのみに関するコンテンツデータを迅速に閲覧できるとともに，部分的な詳細を十分に把握できる。従って，後工程で行われるコンテンツデータの編集作業の効率化を図ることができる。
【０２７９】
なお，本ステップＳ８０２は省略することも可能である。
【０２８０】
次いで，ステップＳ８０４では，粗編集処理を行う１のカットが，選択される（ステップＳ８０４）。編集部署の担当者は，例えば，プログラムメタデータＰＭを閲覧して，これから粗編集処理（即ち，Ｉｎ点・Ｏｕｔ点の指定処理など）を行おうとするカットを１つ選択する。
【０２８１】
さらに，ステップＳ８０６では，上記ステップＳ８０４で選択されたカットに対応するコンテンツデータが再生される（ステップＳ８０６：コンテンツデータ表示工程）。映像表示制御部３２４は，例えば，プログラムメタデータＰＭのテイク関連付け情報（ＯＫ／ＮＧ情報など）に基づいて，上記ステップＳ８０４で選択されたカットに対応するテイクを特定する。次いで，映像表示制御部３２４は，例えば，特定したテイクのローレゾ映像などをディスク装置３１８によって再生・表示させる。また，例えば，この際，例えば，コンテンツデータとともに，タイムコード，プログラムメタデータＰＭまたはテイクメタデータＴＭなどをスーパーインポーズ表示させることもできる。
【０２８２】
その後，ステップＳ８０８では，当該テイクのＩｎ点およびＯｕｔ点が決定される（ステップＳ８０８）。編集部署の担当者は，上記ステップＳ８０６で再生された映像を閲覧しながら，所望の時点で上記Ｉｎ点決定ボタンおよびＯｕｔ点決定ボタンを押下し，当該テイクのＩｎ点およびＯｕｔ点を決定する。これにより，当該テイクのコンテンツデータの有効範囲が抽出されたこととなる。
【０２８３】
次いで，ステップＳ８１０では，Ｉｎ点情報およびＯｕｔ点情報が生成される（ステップＳ８１０：テイク関連付け情報編集工程）。テイク関連付け情報編集部３３４は，例えば，上記ステップＳ８０８でＩｎ点決定ボタンおよびＯｕｔ点決定ボタンが押下されたタイミングにおけるタイムコードをそれぞれ抽出する。これにより，テイク関連付け情報編集部３３４は，例えば，かかるタイムコードをＩｎ点情報およびＯｕｔ点情報として生成する。さらに，テイク関連付け情報編集部３３４は，例えば，かかるＩｎ点情報およびＯｕｔ点情報をプログラムメタデータＰＭの「Ｉｎ点」および「Ｏｕｔ点」の項目に入力する。
【０２８４】
さらに，ステップＳ８１２では，プログラムメタデータＰＭ内の全てのカットに対応するコンテンツデータの粗編集が終了したか否かが，判断される（ステップＳ８１２）。かかる判断は，例えば，プログラムメタデータＰＭの全てのカットのテイク関連付け情報に関して，ＯＫとされているテイクにＩｎ点情報およびＯｕｔ点情報が入力されているか否かを確認することによって実行できる。なお，このＩｎ点情報およびＯｕｔ点情報の有無の確認処理は，例えば，上記編集部署の担当者が目視によって確認してもよいし，或いは，テイク関連付け情報編集部３３４などが自動的に行ってもよい。
【０２８５】
この結果，全てのカットの粗編集が終了したと判断された場合には，ステップＳ８１４に進む。一方，全てのカットの粗編集が終了していないと判断された場合には，ステップＳ８０４に戻り，未編集のカットを選択した上で，上記と同様な粗編集処理が行われる。
【０２８６】
その後，ステップＳ８１４では，全カットに対応するコンテンツデータの必要部分が抽出される（ステップＳ８１４）。まず，コンテンツデータ編集部３４０は，プログラムメタデータＰＭに基づいて，映像プログラム内の最初のカットを選択する。次いで，コンテンツデータ編集部３４０は，上記選択したカットに対応するテイクをテイク関連付け情報に基づいて特定する。さらに，コンテンツデータ編集部３４０は，上記特定されたテイクのコンテンツデータをＩｎ点情報およびＯｕｔ点情報に基づいて抽出する。かかる処理をシナリオ順に複数のカットについて繰り返し行うことで，映像プログラムを構成するコンテンツデータを完成させることができる。これにより，編集担当者は，映像プログラムの内容を確認することができる。なお，本ステップでは，コンテンツデータ編集部３４０によって上記ＥＤＬを作成する処理のみを行ってもよい。
【０２８７】
次いで，ステップＳ８１６では，上記映像プログラムのコンテンツデータの画質調整処理が実行される（ステップＳ８１６）。上記ステップＳ８１６で完成した映像プログラムのコンテンツデータに対して，例えば，輝度または色合い調整処理，シャープネス・アンシャープネス補正処理，映像又は音声のノイズ低減・除去処理，映像のぶれ補正処理など各種の画質調整処理などが行われる。また，上記映像プログラムのコンテンツデータに対して，各種データの重畳処理や，コンテンツデータ相互の合成処理などを施してもよい。なお，上記のようなステップＳ８１４およびＳ８１６などは，例えば，映像プログラムの本編集（実編集）処理に相当する。
【０２８８】
以上，図１４に基づいてコンテンツデータ編集工程について説明した。なお，以上までのステップＳ７０〜Ｓ８０が，編集部署が編集端末３０を用いて映像プログラムを編集する工程である編集段階に相当する。
【０２８９】
また，ステップＳ８０が終了することにより，図１２に示した，映像プログラム制作支援方法の制作フローも終了する。
【０２９０】
ところで，上記の映像プログラム制作支援方法の制作フローの撮像工程Ｓ５０では，例えば，シナリオ通りのカット順で，カットに対応するテイクの撮像処理を順次行っていく例について説明した。しかし，撮像工程Ｓ５０におけるカットの撮像順序は，かかる例に限定されるものではなく，例えば，任意のカット順であってもよい。
【０２９１】
そこで，以下に，図２１に基づいて，かかる撮像工程Ｓ５０において任意のカット順で撮像する撮像フローについて説明する。なお，図２１は，本実施形態にかかる撮像工程Ｓ５０において任意のカット順で撮像する撮像フローを示すフローチャートである。
【０２９２】
図２１に示すように，まず，ステップＳ５５０では，プログラムメタデータＰＭの取材の中から，撮像される取材，シーンおよびカットが，選択される（ステップＳ５５０）。カメラマンは，例えば，ビューファインダー４１９に表示された表形式のプログラムメタデータＰＭを閲覧する。次いで，カメラマンは，上記のように，例えば取材選択ボタン４６２，シーン選択ボタン４６４およびカット選択ボタン４６６を操作して，これから撮像しようとする取材，シーンおよびカットカットをそれぞれ選択する。
【０２９３】
かかる選択時においては，例えば，カメラマンは，シナリオのカット順とは無関係に，所望する任意の１のカットを選択することができる。例えば，上記図１５に示す例では，取材ＩＤ「Ａ２００２−１００１」の取材に属するシーン１において，カット１についての撮像が終わっていない場合であっても，例えば，カット２を選択することができる。また，シーン１に属するカットの撮像が全て終了していない，或いは全く行われていない場合であっても，例えば，シーン２に属するカットを選択してもよい。
【０２９４】
次いで，選択したカットに割り当てられる１のテイクの撮像処理がなされ（ステップＳ５５２），当該テイクに関するテイクメタデータＴＭが作成され（ステップＳ５５４），当該テイクに関するテイク関連付け情報が生成され（ステップＳ５５６），当該テイクに関するテイクメモが入力される（ステップＳ５５８）。かかるステップＳ５５２〜Ｓ５５８は，上記図１３で説明したステップＳ５０８〜Ｓ５１４と略同一であるので，詳細な説明は省略する。
【０２９５】
さらに，ステップＳ５６０では，全てのカットについての撮像を終了したか否かが判断される（ステップＳ５６０）。本ステップでは，例えば，ある取材場所における取材に属する全てのカットについての撮像が終了したか否かが判断される。即ち，例えば，当該取材の全てのシーンに属する全てのカットに関し，割り当てられるテイクの撮像処理がなされた否かが判断される。勿論，上記のように１つのカットに関し複数回のテイクの撮像処理がなされる場合には，例えば，これら複数回のテイクの撮像処理が終了したか否かも判断対象となる。
【０２９６】
このような全てのカットに関する撮像処理が終了したか否かの判断は，例えば，カメラマンなどがプログラムメタデータＰＭを閲覧することで容易に判断できる。即ち，カメラマン等は，プログラムメタデータＰＭにおいて，例えば，当該取材に属するカットの全てについて，少なくとも１のテイクが関連付けられているか否か（即ち，当該全カットについてのテイク関連付け情報の存否）を視覚的に確認するだけでよい。これにより，カメラマン等は，撮り忘れや取り残しを容易かつ迅速に把握することができる。
【０２９７】
上記判断の結果，当該取材に属する全てのカットについての撮像が終了したと判断された場合には，ステップＳ５６２に進む。一方，終了していないと判断された場合には，ステップＳ５５０に戻り，例えば，当該取材に属する任意のカットが再び選択され，上記と同様な処理が再度行われる。
【０２９８】
なお，上記のような本ステップにかかる判断処理では，ある取材に属する全てのカットの撮像が終了したか否かを判断する例について説明した。しかし，かかる例に限定されず，例えば，シーン毎に全てのカットに関する撮像が終了したか否かを判断するようにすることも可能である。また，例えば，映像プログラムに属する全てのカットの撮像が終了したか否かを判断するようにすることも可能である。このような映像プログラムに基づく判断処理は，例えば，ある取材に属するカットを撮像した後，別の取材に属するカットを撮像し，さらに，再度最初の取材に属するカットを撮像するケースに有用となる。このようなケースとは，例えば，ある取材の撮像修了後に，この取材について取り直し指示や何らかのトラブルなどがあった場合などである。
【０２９９】
その後，ステップＳ５６２では，例えば，撮像が終了した全てのカットに関して，ＯＫ／ＮＧ情報がそれぞれ設定される（ステップＳ５６２）。本ステップは，上記図１３で説明したステップＳ５１８と略同一であるので，詳細な説明は省略する。
【０３００】
ただし，本ステップにおいては，例えば，ある取材に属する複数のカットに関して，例えばまとめてＯＫ／ＮＧ情報が設定され点で，上記ステップＳ５１８とは相違する。これは，個々のカットに関してのＯＫ／ＮＧ情報の設定は，例えば，そのカットに関するテイクの撮像処理が全て終了してから実行することが好ましいからである。即ち，本撮像フローでは，上記のように，カットの撮像順は任意の順であり，また，同一のカットに関して後から取り直しをすることも可能である。よって，このため，例えば，上記取材に属する全てのカットの撮像が終了したと判断されてから，全てのカットについてそれぞれＯＫ／ＮＧ情報が設定される。しかし，本撮像フローにかかるＯＫ／ＮＧ情報の設定処理は，かかる例に限定されるものではなく，例えば，当該カットの撮像が終了した時点で個々に設定する，或いは当該カットが属するシーンの撮像が全て終了した時点でまとめて設定する，などしてもよい。また，ＯＫ／ＮＧ情報の設定処理は，例えば，編集段階などにおいて再生したコンテンツデータを閲覧しながら行ってもよい。
【０３０１】
次いで，ステップＳ５６４では，プログラムメタデータＰＭに，カットメモ，シーンメモ，取材メモ等が入力される（ステップ５６４）。本ステップでは，カットメモ，シーンメモ，取材メモ等が，例えば，上記図１３で説明したステップＳ５２０，Ｓ５２４およびＳ５２８と同様な手法により，例えば取材が終了した段階でまとめてプログラムメタデータＰＭに入力される。なお，これらの各種メモは，必ずしもこのようにまとめて入力されなくともよく，例えば，上記撮像フロー中に随時入力されてもよい。
【０３０２】
さらに，ステップＳ５６６では，撮像・取材を終了するか否かが判断される（ステップ５６６）。本ステップでは，カメラマンなどにより，映像プログラムに関する全ての取材が終了したか否かが判断される。この結果，当該映像プログラムに関する全ての取材が終了していないと判断された場合には，ステップＳ５６８に進み，取材場所が変更される。次いで，ステップＳ５５０に戻り，新たに別の取材が選択され，上記と同様にして，当該新たな取材に属する全てのカットについて任意の順で撮像処理が実行される。一方，当該映像プログラムに関する全ての取材が終了したと判断された場合には，撮像工程Ｓ５０のすべてが終了する。
【０３０３】
以上のように，図２１に示したような撮像工程Ｓ５０の処理フローでは，映像プログラムを構成する複数のカットを，例えば，シナリオの順序とは無関係に，任意の順で撮像することができる。これにより，撮像現場の環境，出演者のスケジュール，機材の準備状況等の各種の状況・要請などに応じて，撮像可能なカット順あるいは効率的なカット順などで，撮像を行うことができる。例えば，シーン１内でカット１よりもカット２を先に撮像したり，シーン１とシーン２の撮像順序を入れ替えたり，或いは，あるカットについての新たなテイクを別のカットの撮像後に撮り直したりすることができる。また，このように任意の順でカットの撮像を行ったとしても，プログラムメタデータＰＭ内のテイク関連付け情報により，カットとテイクとは明確に結びつけられている。このため，テイクのコンテンツデータの映像再生時には，プログラムメタデータＰＭのシナリオに従った正しい順序で連続再生することができる。
【０３０４】
なお，上記図１３および図２１で説明した撮像工程の処理フローでは，カメラマンがこれから撮像しようとするカットを選択した後に，対応するテイクの撮像処理を行ったが，かかる例に限定されない。例えば，テイクの撮像処理を行った後に，上記撮像カット選択部４６を操作して当該テイクを割り当てるカットを選択するようにしてもよい。この場合には，例えば，かかるカット選択操作時に，上記テイク関連付け情報が生成されて，プログラムメタデータＰＭ内の当該選択されたカット内に入力される。このように，カメラマン等がカットとテイクを結びつける操作を行うタイミングは，例えば，当該テイクの撮像前，または撮像後のいずれであってもよい。
【０３０５】
次に，プログラムメタデータＰＭのカットに対して，テイクのコンテンツデータおよびテイクメタデータを関連付ける別の態様について説明する。
【０３０６】
上記のような，映像プログラム制作フローの撮像工程Ｓ５０では，撮像前に，カメラマンがカットとテイクとを関連付ける操作を行っていた。しかし，かかる例に限定されず，カットとテイクとを関連付ける操作は，以下に説明するように，複数のテイクの撮像後にまとめて行うこともできる。
【０３０７】
また，上記テイク関連付け部４４は，テイク関連付け情報として，ビデオファイル名，ローレゾファイル名およびテイクメタデータファイル名を，プログラムメタデータＰＭのカット階層の該当欄に入力することにより，カットとテイクを関連付けていた。しかし，かかる例に限定されず，テイク関連付け部４４は，テイク関連付け情報として，ＵＭＩＤをプログラムメタデータＰＭの該当欄に入力することにより，カットとテイクを関連付けることもできる。
【０３０８】
そこで，以下に，図２２〜図２８に基づいて，撮像後にＵＭＩＤを用いてカットとテイクを関連付ける処理を行う撮像フローについて説明する。なお，図２２は，本実施形態の変更例にかかる撮像工程Ｓ５０において，ＵＭＩＤを用いて撮像後にカットとテイクを関連付ける処理を行う撮像フローを示すフローチャートである。また，図２３〜図２７は，本実施形態の変更例にかかる撮像工程Ｓ５０の各工程における構成表メタデータの構成を例示する説明図である。また，図２８は，本実施形態にかかる撮像装置４０のＬＣＤ表示部４２９に表示されたプログラムメタデータＰＭ’等を例示する説明図である。
【０３０９】
図２２に示すように，まず，ステップＳ５８０〜Ｓ５８４では，カメラマンによって任意に選択されたカットについて，１回のテイク（撮像処理）がなされ，（ステップＳ５８０），当該テイクに関するテイクメタデータＴＭが作成され（ステップＳ５８２），当該テイクに関するテイクメモが入力される（ステップＳ５８４）。かかるステップＳ５８０，Ｓ５８２，Ｓ５８４は，それぞれ上記図１３で説明したステップＳ５０８，Ｓ５１０，Ｓ５１４と略同一であるので，詳細な説明は省略する。
【０３１０】
この結果，図２３に示すように，１つのテイクに関して，テイクメタデータＴＭ１と，ビデオファイルＶ１がそれぞれ作成される。このように作成されたテイクメタデータＴＭ１およびビデオファイルＶ１には，共通のＵＭＩＤ「ＡＡＡＡＡＡＡＡ」が含まれている。このＵＭＩＤにより，テイクメタデータＴＭ１とビデオファイルＶ１とを，同一のテイクに関するデータとして関連付けることができる。また，テイクメタデータＴＭ１には，対応するテイクのコンテンツデータのローレゾファイル名も記入されている。これにより，撮像装置４０は，テイクメタデータＴＭ１に対応するテイクのコンテンツデータ内の代表画（サムネール画）を抽出して，表示することができる。このため，カメラマンは，かかる代表画を閲覧することで，当該テイクの内容を容易に把握することができる。
【０３１１】
次いで，ステップＳ５８６では，同一の取材の属する全てのカットについての撮像を終了したか否かが判断される（ステップＳ５８６）。本ステップＳ５８６は，上記図２１で説明したステップＳ５６０と略同一であるので，詳細な説明は省略する。
【０３１２】
この判断の結果，当該取材に属する全てのカットについての撮像が終了したと判断された場合には，ステップＳ５８８に進む。一方，終了していないと判断された場合には，ステップＳ５８０に戻り，例えば，当該取材に属する同一若しくは別のカットについて，上記ステップＳ５８０〜Ｓ５８４と同じ処理が繰り返される。
【０３１３】
このようにして，ある取材に属するすべてのカットについての撮像処理が終了した時点における，構成表メタデータの構成について，図２４に基づいて説明する。図２４に示すように，取材ＩＤ「Ａ２００２−１００１」に属する５つのカットについて合計６回のテイクが行われ，この６回のテイクに関して，テイクメタデータＴＭ１〜ＴＭ６と，ビデオファイルＶ１〜Ｖ６がそれぞれ作成されている。これらのテイクメタデータＴＭ１〜ＴＭ６およびビデオファイルＶ１〜Ｖ６は，テイク毎に固有のＵＭＩＤがそれぞれ含んでおり，このＵＭＩＤにより相互に関連付けられている。しかし，この時点では，カットとテイクとの関連付け作業がまだ行われていないので，プログラムメタデータＰＭのテイク関連付け情報の欄には，実行されたテイクについてのテイク関連付け情報は未入力である。また，プログラムメタデータＰＭの取材メモ，シーンメモ，カットメモの欄にも，プログラム撮像状況情報は未入力である。
【０３１４】
なお，本ステップＳ５８６にかかる判断処理では，上記のように，ある取材に属する全てのカットの撮像が終了したか否かを判断する例について説明した。しかし，かかる例に限定されず，例えば，シーン毎若しくはプログラム単位で，全てのカットに関する撮像が終了したか否かを判断するようにすることも可能である。
【０３１５】
次いで，ステップＳ５８８では，プログラムメタデータＰＭのカットに対して，複数のテイクがまとめて関連付けられる（ステップＳ５８８）。具体的には，まず，カメラマン等によって撮像装置４０に対して関連付け処理の開始が指示されると，撮像装置４０のＬＣＤ表示部４２９は，図２８に示すように，項目が絞り込まれたプログラムメタデータＰＭ’を表示する。この絞り込まれた項目は，例えば，プログラム識別階層，取材階層の取材指示，シーン階層のシーン指示，カット階層のカット指示などである。さらに，このプログラムメタデータＰＭ’には，テイク階層の代表画欄が追加されている。この代表画欄は，各カットに対応して設けられた空白欄であり，関連付け時に代表画をドロップする（詳細は後述する。）ためのスペースである。また，このＬＣＤ表示部４２９には，図２８に示すように，プログラムメタデータＰＭ’とともに，撮像済の各テイクの代表画Ｔ１〜Ｔ６も撮像順に表示されている。従って，カメラマン等は，この代表画を閲覧することで，各テイクのコンテンツデータの内容を容易に把握できる。
【０３１６】
次いで，カメラマンは，例えば図２８のように表示されたプログラムメタデータＰＭ’の制作指示情報と，テイクの代表画とを見比べて，カットに対してテイクを関連付ける作業を行う。この関連付け作業は，例えば，カメラマンが撮像装置の操作部４１６を操作して，プログラムメタデータＰＭ’のテイク階層の代表画欄に，テイクの代表画をドラッグアンドドロップすることで実行される。具体的には，最初に撮像したテイクの代表画Ｔ１をドラッグし，この代表画Ｔ１を，プログラムメタデータＰＭのテイク階層の代表画欄の所望欄（図２８ではシーン１のカット２に対応する欄）に移動させてドロップする。これにより，代表画Ｔ１のテイクを，シーン１のカット２に関連付けることができる。さらに，他のテイクの代表画Ｔ２〜Ｔ６についても同様にして，順次ドラッグアンドドロップして所望のカットに関連付けることができる。このとき，必ずしも全てのテイクをカットに関連付けなくてもよい。また，同一のテイクを複数のカットに関連付けてもよい。
【０３１７】
このようにして，カメラマン等によって各テイクがカットに対して手動で関連付けられると，テイク関連付け部４４は，自動的に，ＵＭＩＤからなるテイク関連付け情報を生成して，プログラムメタデータＰＭの該当欄に入力する。これにより，テイク関連付け部４４は，カメラマンによって指定されたカットに対して，テイクメタデータＴＭおよびビデオファイルＶ（即ち，コンテンツデータ）を関連付けることができる。
【０３１８】
具体的には，図２５に示すように，テイク関連付け部４４は，テイクメタデータＴＭ内のＵＭＩＤを読み出し，このＵＭＩＤを，プログラムメタデータＰＭのＵＭＩＤ欄のうち，指定されたカットに対応する欄に入力する。例えば，上記のようにカメラマンによって最初のテイクはシーン２のカット１に関連付けられたので，テイク関連付け部４４は，シーン２のカット１に対応するＵＭＩＤ欄に，テイクメタデータＴＭ１に含まれているＵＭＩＤ「ＡＡＡＡＡＡＡＡ」を入力する。これにより，共通のＵＭＩＤ「ＡＡＡＡＡＡＡＡ」を有するテイクメタデータＴＭ１およびビデオファイルＶ１は，プログラムメタデータＰＭのシーン２のカット１に関連付けられたことになる。
【０３１９】
その後，ステップＳ５９０およびＳ５９２では，図２５に示したように，例えば，撮像が終了した全てのカットに関してＯＫ／ＮＧ情報がそれぞれ設定され（ステップＳ５９０），プログラムメタデータＰＭに，カットメモ，シーンメモ，取材メモ等が入力される（ステップＳ５９２）。このステップＳ５９０およびＳ５９２は，上記図２１で説明したステップＳ５６２およびＳ５６４と略同一であるので，詳細な説明は省略する。
【０３２０】
次いで，ステップＳ５９４では，撮像・取材を終了するか否かが判断される（ステップＳ５９４）。本ステップでは，カメラマンなどにより，映像プログラムに関する全ての取材が終了したか否かが判断される。この結果，当該映像プログラムに関する全ての取材が終了していないと判断された場合には，ステップＳ５９６に進み，取材場所を変更した後，ステップＳ５８０に戻る。次いで，新たに別の取材（例えば取材ＩＤ「Ａ２００２−１００２」）に含まれる全てのカットについて，上記ステップＳ５８０〜Ｓ５８４を繰り返す。この結果，図２６に示すように，新たに９つのテイクに関するメタデータＴＭ７〜ＴＭ１５およびビデオファイルＶ７〜１５が作成される。その後，図２７に示すように，これらのメタデータＴＭ７〜ＴＭ１５およびビデオファイルＶ７〜１５が，上記と同様にして，プログラムメタデータＰＭのカットにそれぞれ関連付けられる。（ステップＳ５８８）さらに，図２７に示すように，プログラムメタデータＰＭに対して，ＯＫ／ＮＧ情報が入力され（ステップＳ５９０），カットメモ，シーンメモおよび取材メモが入力される（ステップＳ５９２）。
【０３２１】
その後，ステップＳ５９４で，当該映像プログラムに関する全ての取材が終了したと判断された場合には，撮像工程Ｓ５０のすべてが終了する。
【０３２２】
以上のように，図２２に示したような撮像工程Ｓ５０の処理フローでは，カットとテイクの関連付け作業を，複数のカットの撮像後にまとめて行っている。即ち，撮像済の複数のテイクに関するコンテンツデータおよびテイクメタデータＴＭを，まとめて，カメラマンにより指定されたカットにそれぞれ関連付けている。これにより，カメラマン等の関連付け作業の担当者は，カットとテイクの関連付け作業を効率的に行うことができる。この際，テイクの代表画ＴがＬＣＤ表示部４２９に表示されるため，担当者は，テイクの内容を視覚的に理解でき，誤って関連付けることがない。また，担当者は，代表画をドラッグアンドドロップするだけで，容易かつ迅速にテイクとカットを関連付けることができる。
【０３２３】
さらに，テイク関連付け情報としてＵＭＩＤを採用し，テイクとカットの関連付けを行っている。このため，上記図３等で説明したように，テイクメタデータファイル名，ビデオファイル名およびローレゾファイル名の全てを用いて関連付けを行った場合と比べて，プログラムメタデータＰＭのデータ量を低減することができる。また，ＵＭＩＤは，グローバルユニークであるので，複数の映像プログラムのプログラムメタデータＰＭを取り扱う場合に，テイクを明確に区別できる。このため，同一のビデオファイル名やテイクメタデータファイル名等の存在が原因で，コンテンツデータやテイクメタデータＴＭを混同してしまうといったこともない。
【０３２４】
以上，本発明の第１の実施形態にかかる映像プログラム制作支援システム１，構成表メタデータ，企画用，取材用および編集端末１０，２０，３０，映像プログラム制作支援方法などについて詳細に説明した。
【０３２５】
上記実施形態によれば，上記のようなプログラムメタデータＰＭおよびテイクメタデータＴＭからなる構成表メタデータは，実際の映像プログラムの制作作業に対応した実用的な構成となっている。このため，以下のように，構成表メタデータを利用することにより，撮像ワークフローの効率を改善できる。
【０３２６】
まず，映像プログラムの制作に携わる企画構成部署，取材部署および編集部署などの各部署で，電子ファイル形式の構成表メタデータを一貫して共用できる。このため，１つの映像プログラムに関する各部署の作業内容を，１つの構成表メタデータで一元管理できる。さらに，各部署は，この構成表メタデータを閲覧することにより，例えば制作指示内容の確認や，他部署による作業結果の取得を迅速，容易かつ的確に行うことができる。従って，各部署間での情報伝達の正確性や迅速性を向上させることができるとともに，全部署間で統一した情報管理を行うことができる。よって，各部署間での連携や的確な指示・要請を容易に実現できるとともに，シナリオの修正・変更に十分に対応できる。この結果，映像プログラムの制作作業全体の正確化と迅速化，効率化を図ることができる。
【０３２７】
また，プログラムメタデータＰＭには，１個の映像プログラムに関する制作指示や取材中に得た情報など，制作者の意図や認識に関わるメタデータなどが階層化されて１つのデータファイルにまとめられている。このため，各部署の担当者は映像プログラム全体の内容を容易に見渡して，認識することができる。このため，撮像効率や，編集効率などを向上させることができる。
【０３２８】
さらに，取材担当者は，プログラムメタデータＰＭの制作指示情報に基づいて，撮像すべき対象物を容易に把握できるとともに，撮り忘れを防止できる。また，例えば，指示されたカットごとに撮像処理を実行して，プログラムメタデータＰＭのカット階層の欄を埋めていくことで，１つの映像プログラムを完成させることができる。さらに，カットについての撮像順序も任意であり，取り直しも自由である。このため，撮像効率および撮像品質を向上させることができる。
【０３２９】
また，上記構造の構成表メタデータを利用することにより，テイクをどのカット対しても自由に関連付けることができる。即ち，プログラムメタデータＰＭ内にテイク関連付け情報を生成することよって，企画側の意図（シナリオ）であるカットに対して，個々の映像素材であるテイクのコンテンツデータおよびテイクメタデータＴＭ等を，柔軟に関連付ける（リンクする）ことができる。これにより，撮像段階では上記のように任意のカット順で撮像することも可能になる。また，例えば，１つのテイクを複数のカットに関連付けることが可能になる。この際，例えば，１つのテイクのコンテンツデータの一部（例えば前半部分）をあるカットに，当該コンテンツデータの別の一部（例えば後半部分）を他のカットに割り振ることもできる。さらに，同一のテイクを，例えば異なる映像プログラムに属する複数のカット対しても関連付けることもできる。また，映像プログラムのシナリオ変更等があった場合などにも，テイクとカットのリンクを変更する（即ち，テイク関連付け情報を更新する）だけで済むので，かかる企画変更などに柔軟に対処することができる。
【０３３０】
かかる柔軟な関連付けは，例えば，シナリオ等に関する情報が階層構造化されたプログラムメタデータＰＭを映像プログラム毎に１つのファイルで一元管理するとともに，実際に撮像した映像素材およびテイクメタデータＴＭ等をテイク毎に１つのファイルで作成して，上記プログラムメタデータＰＭから独立して管理するという，本実施形態にかかる構成表メタデータの特徴によって実現可能となっている。また，このように，プログラムメタデータＰＭとテイクメタデータＴＭとを相互に分離して管理することにより，プログラムメタデータＰＭの容量を低減することもできる。
【０３３１】
また，プログラムメタデータＰＭの中に，関連するテイクのコンテンツデータやテイクメタデータＴＭのファイル名称等からなるテイク関連付け情報を付加することにより，映像プログラム中の必要な映像やメタデータを自由に呼び出し，それらの内容を閲覧することができる。
【０３３２】
また，編集段階などでは，プログラムメタデータＰＭに基づいて，映像プログラムを構成する複数のテイクのコンテンツデータファイルを，シナリオ順など必要な順番で再生することができる。このため，編集担当者などは，映像プログラムの一部または全体を連続して閲覧することができるので，編集効率が向上する。
【０３３３】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０３３４】
例えば，上記実施形態では，企画端末１０，取材端末２０および編集端末３０の間で構成表メタデータやローレゾ映像を，例えばネットワーク５を介して直接的に通信していたが，本発明はかかる例に限定されない。例えば，ネットワーク５に接続されたセンターサーバ（図示せず。）を設けて，構成表メタデータやローレゾ映像，オリジナル映像などを集中管理するデータベースを構築してもよい。これにより，各端末装置は，ネットワーク５を介してこのセンターサーバにアクセスし，各種情報の取得や更新を行うことができる。
【０３３５】
即ち，企画端末１０は，例えば，作成したプログラムメタデータＰＭを上記センターサーバが具備する構成表メタデータ用データベース（図示せず。）に格納するようにしてもよい，一方，取材端末２０および編集端末３０は，構成表メタデータ用データベースからプログラムメタデータＰＭを取得して，自己の処理の利用に供するようにしてもよい。さらに，取材端末２０および編集端末３０は，プログラムメタデータＰＭを自己の処理結果に応じて編集し，この編集内容を構成表メタデータ用データベース上のプログラムメタデータＰＭに上書きするようにしてもよい。また，取材用端装置２０は，作成したテイクメタデータＴＭを，構成表メタデータ用データベース上に格納するようにしてもよい。また，撮像装置４０は，記録したコンテンツデータ（ローレゾ映像及び／又はオリジナル映像）を上記センターサーバが具備する映像コンテンツ用データベース（図示せず。）に格納するようにしてもよい。また，編集端末３０は，編集に必要なコンテンツデータを上記映像コンテンツ用データベースから取得するようにしてもよい。この際，映像コンテンツ用データベースは，例えば，ローレゾ映像用データベースとオリジナル映像用データベースとに分けて構成してもよい。
【０３３６】
また，上記実施形態では，企画端末１０，取材端末２０および編集端末３０などの間で，例えばネットワーク５を介した通信により，構成表メタデータ等を提供・取得していたが，本発明はかかる例に限定されない。例えば，図２２に示すように，企画端末１０，取材端末２０および編集端末３０の間で，各種の記録媒体を介して構成表メタデータ等をやり取りしてもよい。なお，図２２は，他の実施形態にかかる映像プログラム制作支援システム１の全体構成を概略的に示すブロック図である。
【０３３７】
具体的には，図２２に示すように，例えば，企画端末１０は，新規作成したプログラムメタデータＰＭ等を，光ディスク３やメモリーカード７などの記録媒体に記録する。かかるプログラムメタデータＰＭを記録した光ディスク３およびメモリーカード７などは，例えば，取材端末２０などに向けて搬送される。
【０３３８】
撮像装置４０は，例えば，企画端末１０から光ディスク３などによりプログラムメタデータＰＭを取得する。また，フィールドＰＣ５０は，例えば，企画端末１０からメモリーカード７などによりプログラムメタデータＰＭを取得する。さらに，撮像装置５０は，取得したプログラムメタデータＰＭに基づいて，上記説明したような撮像処理などを行い，例えば光ディスク３にコンテンツデータを記録する。さらに，撮像装置４０およびフィールドＰＣ５０は，上記撮像処理結果に基づいてプログラムメタデータＰＭをそれぞれ編集し，双方の編集結果の同期処理を行った上で，編集したプログラムメタデータＰＭを例えば光ディスク３に書き込む。これにより光ディスク３内のプログラムメタデータＰＭは更新される。また，撮像装置４０は，上記撮像処理に伴って作成したテイクメタデータＴＭも光ディスク３に書き込む。この結果，例えば，光ディスク３などには，ある映像プログラムに関するコンテンツデータと，構成表メタデータ（プログラムメタデータＰＭおよびテイクメタデータＴＭ）の双方が記録されたこととなる。この光ディスク３などは，例えば，編集端末３０などに向けて搬送される。
【０３３９】
編集端末３０は，例えば，取材端末２０から光ディスク３などによりコンテンツデータおよび構成表メタデータなどを取得する。さらに，編集端末３０は，取得した構成表メタデータに基づいて，上記説明したようなコンテンツデータの編集処理などを行う。
【０３４０】
このようにして，記録媒体を介して構成表メタデータをやり取りすることにより，上記第１の実施形態のようなネットワーク５を介した通信を行うための設備等を設けなくても済むので，映像プログラム制作支援システム１をより安価かつ容易に構築できる。特に，例えば，オリジナル映像のみを用いて編集作業を行うケースなどに有用である。かかるケースでは，編集処理を行うためには，例えば，オリジナル映像が記録された光ディスク３が到着するのを待つ必要がある。このようなケースに，かかる光ディスク３内に構成表メタデータも記録されていれば，オリジナル映像と構成表メタデータを１枚の光ディスクによってセットで取り扱うことができるので，便利である。
【０３４１】
また，上記実施形態では，取材端末２０を撮像装置４０およびフィールドＰＣ５０という２つのハードウェアから構成したが，本発明はかかる例に限定されない。例えば，取材端末２０は，上記撮像装置４０およびフィールドＰＣ５０の双方の機能を併せ持つハードウェアであれば，例えば１つのハードウェアで構成することも可能である。この１つのハードウェアからなる取材端末２０は，例えば，撮像装置４０にキーボードなどの入力装置を接続して，取材部署担当者が上記プログラム撮像状況情報およびテイク撮像状況情報を入力可能に構成することで，実現可能である。
【０３４２】
また，上記実施形態では，映像プログラム制作支援システム１は，企画構成部署，取材部署および編集部署に対応した端末装置１０，２０，３０のみを具備した例について説明しているが，本発明はかかる例に限定されない。実際の映像プログラムの制作に携わる部署は，上記３つの部署以外にも，例えば，事務部署，機材部署，情報部署，台詞部署，ＣＧ／ＳＩ（コンピュータグラフィックス／スーパーインポーズ）部署，出演者部署，資料部署，データ保存部署など多岐にわたる。従って，映像プログラム制作支援システム１は，これらの部署に対応した少なくとも１つの端末装置をさらに備え，上記構成表メタデータをより多くの端末装置間で共用できるように構成してもよい。なお，この場合には，上記のような構成表メタデータを統一管理するセンターサーバ（図示せず。）をネットワーク５上に設けることにより，各部署の端末装置がネットワーク５経由で単一のデータベースにアクセスして，一元化された構成表メタデータを取得および更新できるようにしてもよい。
【０３４３】
また，上記実施形態では，撮像装置３０のビューファインダー４１９またはＬＣＤ表示部４２９に表示されたプログラムメタデータＰＭ’を基に，テイクとカットを関連付ける作業を行ったが，本発明は，かかる例に限定されない。例えば，フィールドＰＣ５０の表示部５０８や，編集端末３０の表示部３０８にプログラムメタデータＰＭ’を表示して，各担当者がテイクとカットの関連付け作業を行うようにしてもよい。
【０３４４】
また，上記実施形態では，プログラムメタデータＰＭは，電子ファイル形式のシナリオとして機能するために，シナリオに対応した制作指示情報を含んでいたが，本発明はかかる例に限定されない。例えば，プログラムメタデータＰＭは，企画構成部署によって企画された映像プログラムのシナリオ自体の情報（シナリオ情報）を含むようにしてもよい。このシナリオ情報は，例えば，上述した制作指示情報の「取材タイトル」，「取材指示内容」，「シーンタイトル」，「シーン指示内容」，「カットタイトル」等の項目に入力されたテキストデータと同様な情報で構成することができる。かかるシナリオ情報がプログラムメタデータＰＭに階層化されて含まれていれば，各部署の担当者は，プログラムメタデータＰＭを閲覧してシナリオの内容を直接的に把握できる。
【産業上の利用可能性】
【０３４５】
本発明は，映像プログラム制作支援システムに適用可能であり，特に，電子ファイル形式のシナリオを利用して映像プログラムを制作するシステムに適用可能である。
【図面の簡単な説明】
【０３４６】
【図１】図１は，第１の実施形態にかかる映像プログラム制作支援システムの概略的な構成を示すブロック図である。
【図２】図２は，第１の実施形態にかかる構成表メタデータの全体構成を例示する説明図である。
【図３】図３は，図２に示した構成表メタデータの一部を拡大して示す説明図である。
【図４】図４は，図２に示した構成表メタデータの一部を拡大して示す説明図である。
【図５】図５は，第１の実施形態にかかる１つのテイクメタデータの内容を詳細に例示する説明図である。
【図６】図６は，第１の実施形態にかかる構成表メタデータのディレクトリ構成を例示する説明図である。
【図７】図７は，第１の実施形態にかかる企画端末の概略的な構成を示すブロック図である。
【図８】図８は，第１の実施形態にかかる撮像装置の概略的な構成を示すブロック図である。
【図９】図９は，第１の実施形態にかかる撮像装置のビューファインダーに表示されたプログラムメタデータを例示する説明図である。
【図１０】図１０は，第１の実施形態にかかるフィールドＰＣの概略的な構成を示すブロック図である。
【図１１】図１１は，第１の実施形態にかかる編集端末の概略的な構成を示すブロック図である。
【図１２】図１２は，第１の実施形態にかかる映像プログラム制作支援方法の制作フローを示すフローチャートである。
【図１３】図１３は，第１の実施形態にかかる映像プログラム制作支援方法における撮像フローを詳細に示すフローチャートである。
【図１４】図１４は，第１の実施形態にかかる映像プログラム制作支援方法における編集フローを詳細に示すフローチャートである。
【図１５】図１５は，第１の実施形態にかかる映像プログラム制作支援方法の制作フローのうち，プログラムメタデータに制作指示情報が入力された段階における構成表メタデータの構成を例示する説明図である。
【図１６】図１６は，第１の実施形態にかかる映像プログラム制作支援方法の制作フローのうち，プログラムメタデータにテイク関連付け情報が入力された段階における構成表メタデータの構成を例示する説明図である。
【図１７】図１７は，第１の実施形態にかかる映像プログラム制作支援方法の制作フローのうち，プログラムメタデータにカットメモが入力された段階における構成表メタデータの構成を例示する説明図である。
【図１８】図１８は，第１の実施形態にかかる映像プログラム制作支援方法の制作フローのうち，プログラムメタデータにシーンメモが入力された段階における構成表メタデータの構成を例示する説明図である。
【図１９】図１９は，第１の実施形態にかかる映像プログラム制作支援方法の制作フローのうち，プログラムメタデータに取材メモが入力された段階における構成表メタデータの構成を例示する説明図である。
【図２０】図２０は，第１の実施形態にかかる映像プログラム制作支援方法の撮像工程の全てが終了した段階における構成表メタデータの構成を例示する説明図である。
【図２１】図２１は，第１の実施形態にかかる映像プログラム制作支援方法の撮像工程において任意のカット順で撮像する撮像フローを示すフローチャートである。
【図２２】図２２は，第１の実施形態の変更例にかかる撮像工程において，ＵＭＩＤを用いて撮像後にカットとテイクを関連付ける処理を行う撮像フローを示すフローチャートである。
【図２３】図２３は，第１の実施形態の変更例にかかる撮像工程において，最初のテイクの撮像が行われた段階における構成表メタデータの構成を例示する説明図である。
【図２４】図２４は，第１の実施形態の変更例にかかる撮像工程において，１番目の取材内の全てのカットについての撮像が行われた段階における構成表メタデータの構成を例示する説明図である。
【図２５】図２５は，第１の実施形態の変更例にかかる撮像工程において，１番目の取材内のテイクとカットが関連付けられ，カットメモ等が入力された段階における構成表メタデータの構成を例示する説明図である。
【図２６】図２６は，第１の実施形態の変更例にかかる撮像工程において，２番目の取材内の全てのカットについての撮像が行われた段階における構成表メタデータの構成を例示する説明図である。
【図２７】図２７は，第１の実施形態の変更例にかかる撮像工程において，２番目の取材内のテイクとカットが関連付けられ，カットメモ等が入力された段階における構成表メタデータの構成を例示する説明図である。
【図２８】図２８は，第１の実施形態にかかる撮像装置４０のＬＣＤ表示部４２９に表示されたプログラムメタデータＰＭ’等を例示する説明図である。
【図２９】図２９は，他の実施形態にかかる映像プログラム制作支援システムの全体構成を概略的に示すブロック図である。
【符号の説明】
【０３４７】
１  ：  映像プログラム制作支援システム
３  ：  光ディスク
５  ：  ネットワーク
１０  ：  企画端末
２０  ：  取材端末
３０  ：  編集端末
４０  ：  撮像装置
４２  ：  テイクメタデータ作成部
４４  ：  テイク関連付け部
４５  ：  メタデータ表示制御部
４６  ：  撮像カット選択部
４８  ：  ＯＫ／ＮＧ選択ボタン
５０  ：  フィールドＰＣ／ＰＤＡ
１２０  ：  プログラムメタデータ作成部
１２２  ：  メタデータ表示制御部
１２４  ：  制作指示情報生成部
１２０  ：  プログラムメタデータ作成部
１２２  ：  メタデータ表示制御部
１２４  ：  制作指示情報生成部
３１８  ：  ディスク装置
３２０  ：  表示制御部
３２２  ：  メタデータ表示制御部
３２４  ：  映像表示制御部
３３０  ：  編集端末用メタデータ編集部
３３２  ：  テイク関連付け部
３３４  ：  テイク関連付け情報編集部
３４０  ：  コンテンツデータ編集部
４１９  ：  ビューファインダー
４６２  ：  取材選択ボタン
４６４  ：  シーン選択ボタン
４６６  ：  カット選択ボタン
５２０  ：  メタデータ表示制御部
５２２  ：  撮像状況情報生成部
ＰＭ  ：  プログラムメタデータ
ＴＭ  ：  テイクメタデータ
Ｖ  ：  ビデオファイル
【図１】
2004187275.tif 000003
【図２】
2004187275.tif 000004
【図３】
2004187275.tif 000005
【図４】
2004187275.tif 000006
【図５】
2004187275.tif 000007
【図６】
2004187275.tif 000008
【図７】
2004187275.tif 000009
【図８】
2004187275.tif 000010
【図９】
2004187275.tif 000011
【図１０】
2004187275.tif 000012
【図１１】
2004187275.tif 000013
【図１２】
2004187275.tif 000014
【図１３】
2004187275.tif 000015
【図１４】
2004187275.tif 000016
【図１５】
2004187275.tif 000017
【図１６】
2004187275.tif 000018
【図１７】
2004187275.tif 000019
【図１８】
2004187275.tif 000020
【図１９】
2004187275.tif 000021
【図２０】
2004187275.tif 000022
【図２１】
2004187275.tif 000023
【図２２】
2004187275.tif 000024
【図２３】
2004187275.tif 000025
【図２４】
2004187275.tif 000026
【図２５】
2004187275.tif 000027
【図２６】
2004187275.tif 000028
【図２７】
2004187275.tif 000029
【図２８】
2004187275.tif 000030
【図２９】
2004187275.tif 000031